(57)【要約】【課題】コンテンツ全体の視認性を保ちつつユーザが所望の領域を注視できるコンテンツを表示すること。【解決手段】本願に係る端末装置は、表示部と、変更部とを有する。表示部は、コンテンツにおいて所定の範囲に含まれる領域である注視領域の縮尺が所定の倍率であり、コンテンツにおける注視領域以外の領域の縮尺が所定の倍率と異なる倍率である変更コンテンツ全体を表示する。変更部は、表示部により表示された変更コンテンツに対して変更操作が行われた場合、変更操作に応じて、コンテンツにおける所定の範囲の位置を移動させることにより、移動後の所定の範囲に含まれる新たな注視領域の縮尺を所定の倍率に変更する。【選択図】図７
2016062439.tif 000002
【特許請求の範囲】
【請求項１】
コンテンツにおいて所定の範囲に含まれる領域である注視領域の縮尺が所定の倍率であり、前記コンテンツにおける前記注視領域以外の領域の縮尺が前記所定の倍率と異なる倍率である変更コンテンツ全体を表示する表示部と、
前記表示部により表示された前記変更コンテンツに対して変更操作が行われた場合、前記変更操作に応じて、前記コンテンツにおける前記所定の範囲の位置を移動させることにより、前記移動後の所定の範囲に含まれる新たな注視領域の縮尺を前記所定の倍率に変更する変更部と、
を備えたことを特徴とする端末装置。
【請求項２】
前記変更部は、
前記変更操作が行われた場合、前記移動後の所定の範囲に対応する前記新たな注視領域の縮尺を前記所定の倍率とし、前記コンテンツにおける前記新たな注視領域以外の領域の倍率を前記変更コンテンツの大きさに応じて変更する、
ことを特徴とする請求項１に記載の端末装置。
【請求項３】
前記表示部は、
前記コンテンツにおける前記注視領域以外の領域の縮尺を前記所定の倍率よりも小さい倍率にすることにより前記変更コンテンツ全体を表示させる、
ことを特徴とする請求項１又は請求項２に記載の端末装置。
【請求項４】
前記変更部は、
前記変更コンテンツに対してユーザが指定する位置が検知されている場合、前記ユーザが指定する位置を変化させる操作を前記変更操作として前記所定の範囲の位置を移動させる、
ことを特徴とする請求項１〜３のいずれか１項に記載の端末装置。
【請求項５】
前記変更部は、
前記所定の範囲の位置を、前記変更コンテンツに対して前記ユーザが指定する位置の変化の方向と反対方向に移動させる、
ことを特徴とする請求項４に記載の端末装置。
【請求項６】
前記変更部は、
所定の条件を満たした場合、前記所定の範囲の位置を前記変更操作がされる前の位置に移動させる、
ことを特徴とする請求項１〜５のいずれか１項に記載の端末装置。
【請求項７】
前記変更部は、
前記変更操作がされなくなることを前記所定の条件とする、
ことを特徴とする請求項６に記載の端末装置。
【請求項８】
前記変更部は、
前記注視領域に前記コンテンツ中の特定領域が含まれる場合、前記コンテンツに関連する関連コンテンツを表示させる、
ことを特徴とする請求項１〜７のいずれか１項に記載の端末装置。
【請求項９】
前記変更部は、
前記所定の範囲の位置が所定の大きさを超えて移動した場合、前記コンテンツに関連する関連コンテンツを表示させる、
ことを特徴とする請求項１〜８のいずれか１項に記載の端末装置。
【請求項１０】
前記変更部は、
前記関連コンテンツとして前記コンテンツに関連する広告コンテンツを表示させる、
ことを特徴とする請求項８又は請求項９に記載の端末装置。
【請求項１１】
前記表示部は、
前記コンテンツが分割された複数の領域のうち１つの領域を前記所定の範囲に含まれる前記注視領域とする、
ことを特徴とする請求項１〜１０のいずれか１つに記載の端末装置。
【請求項１２】
前記表示部は、
前記コンテンツが等しい大きさに分割された複数の領域のうち１つの領域を前記所定の範囲に含まれる前記注視領域とする、
ことを特徴とする請求項１１に記載の端末装置。
【請求項１３】
端末装置に表示されるコンテンツを制御する制御情報を前記端末装置に配信する配信部を備え、
前記制御情報は、前記端末装置に、
コンテンツにおいて所定の範囲に含まれる領域である注視領域の縮尺が所定の倍率であり、前記コンテンツにおける前記注視領域以外の領域の縮尺が前記所定の倍率と異なる倍率である変更コンテンツ全体を表示する表示手順と、
前記表示手順により表示された前記変更コンテンツに対して変更操作が行われた場合、前記変更操作に応じて、前記コンテンツにおける前記所定の範囲の位置を移動させることにより、前記移動後の所定の範囲に含まれる新たな注視領域の縮尺を前記所定の倍率に変更する変更手順と、
を実行させることを特徴とする配信装置。
【請求項１４】
コンピュータが実行する表示方法であって、
コンテンツにおいて所定の範囲に含まれる領域である注視領域の縮尺が所定の倍率であり、前記コンテンツにおける前記注視領域以外の領域の縮尺が前記所定の倍率と異なる倍率である変更コンテンツ全体を表示する表示工程と、
前記表示工程により表示された前記変更コンテンツに対して変更操作が行われた場合、前記変更操作に応じて、前記コンテンツにおける前記所定の範囲の位置を移動させることにより、前記移動後の所定の範囲に含まれる新たな注視領域の縮尺を前記所定の倍率に変更する変更工程と、
を備えたことを特徴とする表示方法。
【請求項１５】
コンテンツにおいて所定の範囲に含まれる領域である注視領域の縮尺が所定の倍率であり、前記コンテンツにおける前記注視領域以外の領域の縮尺が前記所定の倍率と異なる倍率である変更コンテンツ全体を表示する表示手順と、
前記表示手順により表示された前記変更コンテンツに対して変更操作が行われた場合、前記変更操作に応じて、前記コンテンツにおける前記所定の範囲の位置を移動させることにより、前記移動後の所定の範囲に含まれる新たな注視領域の縮尺を前記所定の倍率に変更する変更手順と、
をコンピュータに実行させることを特徴とする表示プログラム。
【発明の詳細な説明】
【技術分野】
【０００１】
本発明は、端末装置、配信装置、表示方法及び表示プログラムに関する。
【背景技術】
【０００２】
近年、ウェブページや画像データなどのコンテンツが大型化しており、画面にコンテンツを表示させる場合、表示領域の大きさに合わせてコンテンツを縮小させたり、コンテンツの一部を表示したりする。
【０００３】
このような場合、ユーザは、コンテンツの表示に対する操作を行うことにより、コンテンツの縮尺や表示される領域を変更し見たい領域を適切に表示させる。また、ユーザの視線を利用してコンテンツを適切に表示する技術も提供されている。
【先行技術文献】
【特許文献】
【０００４】
【特許文献１】特開２０１１−１３８４２１号公報
【発明の概要】
【発明が解決しようとする課題】
【０００５】
しかしながら、上記の従来技術では、コンテンツ全体の視認性を保ちつつユーザが所望の領域を注視できるコンテンツを表示することができるとは限らない。例えば、表示画面が比較的小さいスマートデバイスなどにコンテンツを表示する場合、コンテンツを縮小して表示したり、コンテンツの一部を表示したりするため、コンテンツにおいてユーザが見たい領域が適切に表示されない場合があり、コンテンツ全体の視認性を保ちつつユーザが所望の領域を注視できるコンテンツを表示することができるとは限らない。
【０００６】
本願は、上記に鑑みてなされたものであって、コンテンツ全体の視認性を保ちつつユーザが所望の領域を注視できるコンテンツを表示することができる端末装置、配信装置、表示方法及び表示プログラムを提供することを目的とする。
【課題を解決するための手段】
【０００７】
本願に係る端末装置は、コンテンツにおいて所定の範囲に含まれる領域である注視領域の縮尺が所定の倍率であり、前記コンテンツにおける前記注視領域以外の領域の縮尺が前記所定の倍率と異なる倍率である変更コンテンツ全体を表示する表示部と、前記表示部により表示された前記変更コンテンツに対して変更操作が行われた場合、前記変更操作に応じて、前記コンテンツにおける前記所定の範囲の位置を移動させることにより、前記移動後の所定の範囲に含まれる新たな注視領域の縮尺を前記所定の倍率に変更する変更部を備えたことを特徴とする。
【発明の効果】
【０００８】
実施形態の一態様によれば、コンテンツ全体の視認性を保ちつつユーザが所望の領域を注視できるコンテンツを表示することができるという効果を奏する。
【図面の簡単な説明】
【０００９】
【図１】図１は、実施形態に係る表示処理の一例を示す図である。
【図２】図２は、実施形態に係る配信システムの構成例を示す図である。
【図３】図３は、実施形態に係る広告装置の構成例を示す図である。
【図４】図４は、実施形態に係る広告コンテンツ記憶部の一例を示す図である。
【図５】図５は、実施形態に係る配信装置の構成例を示す図である。
【図６】図６は、実施形態に係るコンテンツ記憶部の一例を示す図である。
【図７】図７は、実施形態に係る端末装置の構成例を示す図である。
【図８】図８は、実施形態に係る変更処理の一例を示す図である。
【図９】図９は、実施形態に係る変更コンテンツの一例を示す概念図である。
【図１０】図１０は、実施形態に係る配信システムによる配信処理手順を示すシーケンス図である。
【図１１】図１１は、実施形態に係る端末装置による表示処理手順を示すフローチャートである。
【図１２】図１２は、変形例に係る表示処理の一例を示す図である。
【図１３】図１３は、端末装置の機能を実現するコンピュータの一例を示すハードウェア構成図である。
【発明を実施するための形態】
【００１０】
以下に、本願に係る端末装置、配信装置、表示方法及び表示プログラムを実施するための形態（以下、「実施形態」と呼ぶ）について図面を参照しつつ詳細に説明する。なお、この実施形態により本願に係る端末装置、配信装置、表示方法及び表示プログラムが限定されるものではない。また、以下の各実施形態において同一の部位には同一の符号を付し、重複する説明は省略される。
【００１１】
〔１．表示処理〕
まず、図１を用いて、実施形態に係る表示処理の一例について説明する。図１は、実施形態に係る表示処理の一例を示す図である。図１に示した端末装置１０は、ユーザが表示画面に触れることによる操作、いわゆるタッチパネルによる操作を受け付けるタブレット端末である。言い換えると、ユーザは、指や専用ペンで端末装置１０の出力部１３である表示画面をタッチすることにより各種操作を行う。図１では、ウェブページＷ１０の表示領域ＷＲ１０に変更コンテンツＶＣ１１〜ＶＣ１３が表示される例を示す。
【００１２】
図１（ａ）は、図１（ｂ）に示すウェブページＷ１０中の表示領域ＷＲ１０に表示される自動車の画像であるコンテンツＣ１０を示す。図１に示す例においては、コンテンツＣ１０の中央に位置する所定の範囲（以下、「等倍指定範囲」と称する場合がある）に含まれる領域である注視領域（以下、「等倍領域」と称する場合がある）Ｒ１５を中心とした９つの領域に分割される。具体的には、コンテンツＣ１０は、等しい面積で９つの領域Ｒ１１〜Ｒ１９に分割される。言い換えると、コンテンツＣ１０は、図１（ａ）における横方向に３等分され、縦方向に３等分され、領域Ｒ１１〜Ｒ１９に分割される。すなわち、コンテンツＣ１０は、等倍領域Ｒ１５を中心として格子状の境界により分割される。また、図１に示す例において、コンテンツＣ１０には、特定領域ＳＡ１０が含まれるが詳細は後述する。
【００１３】
図１（ｂ）に示すように、ブラウザＢＲ１０に表示されたウェブページＷ１０は、コンテンツＣ１０を表示する表示領域ＷＲ１０を含み、コンテンツＣ１０に関する記事等の各種情報が表示されるウェブページである。
【００１４】
ここで、ウェブページＷ１０中の表示領域ＷＲ１０には、コンテンツＣ１０が表示される。図１に示す例において、ウェブページＷ１０中の表示領域ＷＲ１０に表示されるコンテンツＣ１０の大きさと表示領域ＷＲ１０の大きさとは異なる。例えば、コンテンツＣ１０が、横が８００ピクセルで縦が６００ピクセルの画像であり、ウェブページＷ１０中の表示領域ＷＲ１０が、横が６４０ピクセルで縦が４８０ピクセルの表示領域である場合、ウェブページＷ１０中の表示領域ＷＲ１０の大きさは、コンテンツＣ１０の大きさよりも小さい。
【００１５】
このような場合、図１（ｂ）に示すように、端末装置１０は、表示処理によりコンテンツＣ１０を変更した変更コンテンツＶＣ１１全体を、ウェブページＷ１０の表示領域ＷＲ１０に表示する。なお、表示処理によりコンテンツにおいて等倍指定範囲に含まれる領域である等倍領域Ｒ１５の縮尺が所定の倍率であり、前記コンテンツにおける等倍領域Ｒ１５以外の領域Ｒ１１〜Ｒ１４，Ｒ１６〜Ｒ１９の縮尺が所定の倍率と異なる倍率である変更コンテンツＶＣ１１全体を表示するが、表示処理の詳細は後述する。本実施形態においては、「所定の倍率」を１倍（つまり、「等倍」）として説明する。
【００１６】
ここで、図１（ａ）に示すコンテンツＣ１０と、図１（ｂ）に示す変更コンテンツＶＣ１１との関係について説明する。図１（ｂ）に示す変更コンテンツＶＣ１１は、領域ＣＲ１１〜ＣＲ１９の９つの領域からなる。そして、変更コンテンツＶＣ１１の領域ＣＲ１１〜ＣＲ１９は、コンテンツＣ１０の領域Ｒ１１〜Ｒ１９にそれぞれ対応する。例えば、変更コンテンツＶＣ１１の領域ＣＲ１１はコンテンツＣ１０の領域Ｒ１１に対応し、変更コンテンツＶＣ１１の領域ＣＲ１５はコンテンツＣ１０の等倍領域Ｒ１５に対応する。図１に示す例では、変更コンテンツＶＣ１１の領域ＣＲ１５は、コンテンツＣ１０において対応する等倍領域Ｒ１５の等倍の縮尺のもの、すなわち等倍領域Ｒ１５を同一である。そして、変更コンテンツＶＣ１１の領域ＣＲ１５を除く８つの領域ＣＲ１１〜ＣＲ１４，ＣＲ１６〜ＣＲ１９は、コンテンツＣ１０において対応する領域Ｒ１１〜Ｒ１４，Ｒ１６〜Ｒ１９が等倍と異なる（例えば、１より小さい）倍率で縮尺を変更されたものである。したがって、端末装置１０は、コンテンツＣ１０に対する縮尺が等倍である領域ＣＲ１５と、縮尺が等倍でない（例えば、１倍より小さい）８つの領域ＣＲ１１〜ＣＲ１４，ＣＲ１６〜ＣＲ１９とからなる変更コンテンツＶＣ１１全体をウェブページＷ１０の表示領域ＷＲ１０に表示する。以下、変更コンテンツの領域のうち、コンテンツ中の等倍領域に対応する領域を対応領域と称する場合がある。例えば、変更コンテンツＶＣ１１では、コンテンツＣ１０の等倍領域Ｒ１５に対応する領域ＣＲ１５が対応領域となる。以下、領域ＣＲ１５を対応領域ＮＲ１０と称する場合がある。
【００１７】
その後、端末装置１０は、変更コンテンツＶＣ１１に対する変更操作を受け付ける。なお、端末装置１０は、ユーザによる変更操作に応じて、コンテンツＣ１０における等倍指定範囲の位置を移動させることにより、移動後の等倍指定範囲に含まれる新たな等倍領域Ｒ２５の縮尺を等倍に変更する変更処理を行うが、変更処理の詳細は後述する。図１に示す例において、端末装置１０は、表示領域ＷＲ１０（つまり、表示されている変更コンテンツＶＣ１１）に対してユーザが指定する位置が検知されている場合、ユーザが指定する位置を変化させる操作を変更操作として等倍指定範囲の位置を移動させる。例えば、端末装置１０は、ユーザが表示領域ＷＲ１０を指定した指を移動させる操作、いわゆるスワイプ操作やドラッグ操作を行った場合、その指の位置の変化量に応じて、コンテンツＣ１０における等倍指定範囲の位置を移動させる（図１（ｃ）参照）。そして、端末装置１０は、コンテンツＣ１０における移動後の等倍指定範囲に対応する新たな等倍領域Ｒ２５の縮尺を等倍とし、コンテンツＣ１０における新たな等倍領域Ｒ２５以外の領域Ｒ２１〜Ｒ２４，Ｒ２６〜Ｒ２９の倍率を変更コンテンツＶＣ１１の大きさに応じて変更した変更コンテンツＶＣ１２を表示する（図８（ｃ）参照）。なお、ユーザが表示領域ＷＲ１０を指定するとは、表示領域ＷＲ１０に表示された変更コンテンツを指定することを意味する。
【００１８】
図１（ｃ）に示す変更コンテンツＶＣ１２は、領域ＣＲ２１〜ＣＲ２９の９つの領域からなる。つまり、端末装置１０は、コンテンツＣ１０に対する縮尺が等倍である対応領域ＮＲ２０（ＣＲ２５）と、縮尺が等倍でない（例えば、１倍より小さい）８つの領域ＣＲ２１〜ＣＲ２４，ＣＲ２６〜ＣＲ２９とからなる変更コンテンツＶＣ１２全体をウェブページＷ１０の表示領域ＷＲ１０に表示する。言い換えると、コンテンツＣ１０に対して対応領域ＮＲ２０（ＣＲ２５）のみが等倍のまま表示され、他の８つの領域ＣＲ２１〜ＣＲ２４，ＣＲ２６〜ＣＲ２９は縮尺を変更して表示領域ＷＲ１０に表示される。
【００１９】
図１（ｂ）〜（ｃ）に示すように、ユーザの変更操作に応じて、変更コンテンツＶＣ１１，ＶＣ１２中の対応領域ＮＲ１０，ＮＲ２０の位置が変更される。図１（ｃ）に示す例において、ユーザは表示領域ＷＲ１０を指定した指を右下方向へ移動させる。このとき、表示領域ＷＲ１０に表示される対応領域ＮＲ１０，ＮＲ２０の位置は、指の移動方向である右下方向とは反対方向の左上方向に移動する。このように、端末装置１０は、ユーザの変更操作に応じて変更コンテンツＶＣ１１，ＶＣ１２の対応領域ＮＲ１０，ＮＲ２０の位置を変更することにより、コンテンツＣ１０においてユーザが見たい領域を表示領域ＷＲ１０に等倍で表示する。
【００２０】
図１（ｄ）は、図１（ｃ）に示す例からユーザが表示領域ＷＲ１０を指定した指をさらに右下方向へ移動させた例を示す。図１（ｄ）に示すように、表示領域ＷＲ１０に表示される対応領域ＮＲ３０の位置は、図１（ｃ）からさらに左上方向に移動する。図１（ｄ）に示す変更コンテンツＶＣ１３は、領域ＣＲ３１〜ＣＲ３９の９つの領域からなる。つまり、端末装置１０は、コンテンツＣ１０に対する縮尺が等倍である対応領域ＮＲ３０（ＣＲ３５）と、縮尺が等倍でない（例えば、１倍より小さい）８つの領域ＣＲ３１〜ＣＲ３４，ＣＲ３６〜ＣＲ３９とからなる変更コンテンツＶＣ１３全体をウェブページＷ１０の表示領域ＷＲ１０に表示する。言い換えると、対応領域ＮＲ３０（ＣＲ３５）のみが等倍のまま表示され、他の８つの領域ＣＲ３１〜ＣＲ３４，ＣＲ３６〜ＣＲ３９は縮尺を変更して表示領域ＷＲ１０に表示される。
【００２１】
ここで、図１（ｄ）に示す変更コンテンツＶＣ１３は、対応領域ＮＲ３０（ＣＲ３５）に特定領域ＳＡ１０を含む。このように、変更コンテンツＶＣ１３の対応領域ＮＲ３０中に特定領域ＳＡ１０が含まれた場合、端末装置１０は、コンテンツＣ１０に関連する広告コンテンツＡＣ１０を表示させる。
【００２２】
上述したように、実施形態に係る端末装置１０は、表示領域ＷＲ１０の大きさに応じて、コンテンツＣ１０全体の視認性を保つように表示処理によりコンテンツＣ１０を変更した変更コンテンツＶＣ１１〜ＶＣ１３全体を表示領域ＷＲ１０に表示する。そして、変更コンテンツＶＣ１１〜ＶＣ１３には、表示領域ＷＲ１０にコンテンツＣ１０と同じ縮尺で表示される対応領域ＮＲ１０〜ＮＲ３０が含まれる。これにより、端末装置１０は、ウェブページＷ１０中の表示領域ＷＲ１０の大きさよりも大きいコンテンツＣ１０の内容全体を表示領域ＷＲ１０に表示し、かつ一部はコンテンツＣ１０の原寸大のまま表示することができる。また、端末装置１０は、ユーザの変更操作に応じて変更コンテンツＶＣ１１〜ＶＣ１３の対応領域ＮＲ１０〜ＮＲ３０の位置を変更することにより、コンテンツＣ１０においてユーザが見たい領域を表示領域ＷＲ１０に等倍で表示することができる。つまり、端末装置１０は、コンテンツを表示する表示領域の大きさが当該コンテンツの大きさよりも小さい場合であっても、コンテンツ全体の視認性を保ちつつ、ユーザが所望の領域を等倍にした態様でコンテンツを表示することができる。例えば、端末装置１０を使用するユーザは、表示領域ＷＲ１０にコンテンツＣ１０全体の内容が表示されているため、ページ遷移やスクロール操作を行うことなく、自身が見たいコンテンツＣ１０の領域を探すことができる。具体的には、端末装置１０を使用するユーザは、表示領域ＷＲ１０に表示された変更コンテンツＶＣ１１〜ＶＣ１３の対応領域ＮＲ１０〜ＮＲ３０を変更操作により移動させることにより、自身が見たいコンテンツの領域を探すことができる。このように、端末装置１０は、ユーザに対して適切にコンテンツを表示できる。
【００２３】
また、端末装置１０において、表示領域ＷＲ１０に表示された変更コンテンツＶＣ１１〜ＶＣ１３の表示態様がユーザの変更操作により変化するので、ユーザにとってゲーム性の高いコンテンツの表示となる。そのため、ユーザが変更操作を行わせることにより、ユーザが変更操作を行っている間は、ユーザの注目をそのコンテンツに向けさせることができる。また、表示領域ＷＲ１０に表示された変更コンテンツＶＣ１１〜ＶＣ１３に対して変更操作を行っているユーザは、そのコンテンツに対して関心のあるユーザである可能性が高いと推定できる。そのため、端末装置１０は、ユーザの変更操作によってコンテンツ中の特定の領域が、対応領域に含まれたことをトリガーとしてコンテンツに関連する広告コンテンツを表示する。具体的には、図１に示す例において、ユーザが表示領域ＷＲ１０に表示された変更コンテンツＶＣ１１〜ＶＣ１３に対して変更操作を行い、図１（ｄ）において特定領域ＳＡ１０が対応領域ＮＲ３０に含まれている。ここで、図１に示す例において、特定領域ＳＡ１０は表示されたコンテンツＣ１０における自動車のエンブレム部分に対応する。このような場合、変更操作を行っているユーザは、コンテンツＣ１０の自動車に関心のあるユーザである可能性が高い。そこで、端末装置１０は、特定領域ＳＡ１０が対応領域ＮＲ３０に含まれた場合、コンテンツＣ１０に関連する広告コンテンツＡＣ１０を表示する。このように、端末装置１０は、表示したコンテンツに関心があると推定されるユーザに対してコンテンツに関連する広告コンテンツを表示することで、広告コンテンツの広告効果を向上させることができる。
【００２４】
また、上述したように、表示領域ＷＲ１０に表示された変更コンテンツＶＣ１１〜ＶＣ１３の表示態様がユーザの変更操作により変化するので、ユーザにとってゲーム性の高いコンテンツの表示となる。そのため、端末装置１０は、コンテンツＣ１０として広告コンテンツを表示してもよい。この場合、ユーザが変更操作を行っている間は、ユーザの注目をその広告コンテンツに向けさせることができる。これにより、端末装置１０は、ユーザが表示された広告コンテンツに対して変更操作を行っている間、広告コンテンツの表示態様を変化させるので、ゲーム性のある広告表現となるため、広告の訴求力を高めることができる。この結果、端末装置１０は、広告コンテンツの広告効果を向上させることができる。なお、上記の表示処理の説明においては、所定の倍率を等倍とし、対応領域を等倍で表示する場合を例示したが、所定の倍率は、コンテンツの大きさと表示領域の大きさとの関係に基づいて適宜設定してもよい。例えば、所定の倍率は、対応領域がユーザによって注視可能な大きさで表示され、且つコンテンツ全体が視認可能であればどのような倍率（例えば、２倍や０．８倍など）であってもよい。
【００２５】
以下、上述した表示処理を実現する端末装置１０等について説明する。なお、上記では説明を省略したが、上述したウェブページＷ１０には、表示領域ＷＲ１０中の変更コンテンツの表示態様を制御する制御情報が含まれる。また、端末装置１０は、制御情報に従って上述した表示処理を行う。このような制御情報については後述する。
【００２６】
〔２．配信システムの構成〕
次に、図２を用いて、実施形態に係る配信システムの構成について説明する。図２は、実施形態に係る配信システム１の構成例を示す図である。図２に示すように、配信システム１は、端末装置１０と、広告主端末２０と、広告装置３０と、配信装置１００とを含む。端末装置１０、広告主端末２０、広告装置３０及び配信装置１００は、ネットワーク４０を介して有線又は無線により通信可能に接続される。なお、図２に示す配信システム１には、複数台の端末装置１０や、複数台の広告主端末２０や、複数台の広告装置３０や、複数台の配信装置１００が含まれてもよい。
【００２７】
端末装置１０は、例えば、タッチパネルの機能を備えるタブレット端末であって、ウェブページを閲覧するユーザによって利用される情報処理装置である。なお、端末装置１０は、例えば、スマートフォンや、デスクトップ型ＰＣ（Personal  Computer）や、ノート型ＰＣや、携帯電話機や、ＰＤＡ（Personal  Digital  Assistant）等であってもよい。
【００２８】
また、端末装置１０は、ユーザによる操作に従って、配信装置１００からウェブページを取得し、取得したウェブページを表示する。また、端末装置１０は、ウェブページに後述する広告取得命令が含まれる場合には、広告装置３０から広告コンテンツを取得する。
【００２９】
広告主端末２０は、広告主によって利用される情報処理装置である。例えば、広告主端末２０は、デスクトップ型ＰＣや、ノート型ＰＣや、タブレット端末や、携帯電話機や、ＰＤＡ等である。また、広告主端末２０は、広告主による操作に従って、広告コンテンツを広告装置３０に入稿する。例えば、広告主端末２０は、広告コンテンツとして、静止画像や、動画像や、テキストデータや、広告主が管理する広告主サーバによって配信される広告ページにアクセスするためのＵＲＬ（Uniform  Resource  Locator）などを広告装置３０に入稿する。
【００３０】
なお、広告主は、広告コンテンツの入稿を代理店に依頼する場合がある。この場合、広告装置３０に広告コンテンツを入稿するのは代理店となる。以下では、「広告主」といった表記は、広告主だけでなく代理店を含む概念であり、「広告主端末」といった表記は、広告主端末２０だけでなく代理店によって利用される代理店装置を含む概念であるものとする。
【００３１】
広告装置３０は、広告主端末２０から入稿された広告コンテンツを配信するサーバ装置である。例えば、広告装置３０は、端末装置１０からアクセスされた場合に、広告コンテンツを端末装置１０に配信する。
【００３２】
配信装置１００は、端末装置１０にウェブページを配信するウェブサーバ等である。例えば、配信装置１００は、ニュースサイト、オークションサイト、天気予報サイト、ショッピングサイト、ファイナンス（株価）サイト、路線検索サイト、地図提供サイト、旅行サイト、飲食店紹介サイト、ウェブブログなどに関する各種ウェブページを配信する。
【００３３】
配信装置１００によって配信されるウェブページは、例えば、ＨＴＭＬ（HyperText  Markup  Language）により記述されたＨＴＭＬファイルや、ＸＭＬ（Extensible  Markup  Language）により記述されたＸＭＬファイル等により形成される。そして、配信装置１００によって配信されるウェブページには、ウェブページ中のコンテンツの表示態様を制御する制御情報が含まれる。この制御情報は、例えば、ＪａｖａＳｃｒｉｐｔ（登録商標）やＣＳＳ（Cascading  Style  Sheets）等のスクリプト言語により、ウェブページを形成するＨＴＭＬファイル等に記述される。
【００３４】
また、配信装置１００は、端末装置１０にウェブページを配信する際に、当該ウェブページに表示される画像等であるコンテンツを端末装置１０へ配信する。なお、端末装置１０へ配信されたコンテンツはウェブページ中の所定の表示領域に表示されるが、端末装置１０におけるコンテンツの表示については、後述する。
【００３５】
また、配信装置１００によって配信されるウェブページには、広告取得命令が含まれる。例えば、ウェブページを形成するＨＴＭＬファイル等には、広告装置３０のＵＲＬ等が広告取得命令として記述される。この場合、端末装置１０は、ＨＴＭＬファイル等に記述されているＵＲＬにアクセスすることで、広告装置３０から広告コンテンツを取得する。
【００３６】
〔３．広告装置の構成〕
次に、図３を用いて、実施形態に係る広告装置３０の構成について説明する。図３は、実施形態に係る広告装置３０の構成例を示す図である。図３に示すように、広告装置３０は、通信部３１と、広告コンテンツ記憶部３２と、制御部３３とを有する。
【００３７】
通信部３１は、例えば、ＮＩＣ（Network  Interface  Card）等によって実現される。そして、通信部３１は、ネットワーク４０と有線又は無線で接続され、端末装置１０や広告主端末２０や配信装置１００との間で情報の送受信を行う。
【００３８】
広告コンテンツ記憶部３２は、例えば、ＲＡＭ（Random  Access  Memory)、フラッシュメモリ（Flash  Memory）等の半導体メモリ素子、または、ハードディスク、光ディスク等の記憶装置によって実現される。そして、広告コンテンツ記憶部３２は、広告主端末２０から入稿された広告コンテンツに関する各種情報を記憶する。
【００３９】
ここで、図４に、実施形態に係る広告コンテンツ記憶部３２の一例を示す。図４に示した例では、広告コンテンツ記憶部３２は、「広告主ＩＤ」、「広告コンテンツ」、「入札価格」、「ＣＴＲ（Click  Through  Rate）」といった項目を有する。
【００４０】
「広告主ＩＤ」は、広告主又は広告主端末２０を識別するための識別情報を示す。「広告コンテンツ」は、広告主端末２０から入稿された広告コンテンツを示す。図４では「広告コンテンツ」に「ＡＣ１０」といった概念的な情報が格納される例を示したが、実際には、静止画像や動画像やテキストデータやＵＲＬ、又は、これらの格納場所を示すファイルパス名などが格納される。
【００４１】
「入札価格」は、広告主が広告コンテンツを入稿する際に指定する広告料金を示す。例えば、「入札価格」は、広告コンテンツがユーザに１回クリックされた際に広告主から広告配信者（例えば、広告装置３０又は配信装置１００の管理者）に支払われる単価に該当する。なお、本実施形態においては、「入札価格」は、ユーザに１回変更操作された際に広告主から広告配信者に支払われる単価であってもよい。
【００４２】
「ＣＴＲ」は、広告コンテンツがクリックされた回数を広告コンテンツの表示回数によって除算した値を示す。なお、端末装置１０に配信されたことがない広告コンテンツのＣＴＲには、予め決められている固定値や、全ての広告コンテンツにおけるＣＴＲの平均値や、同一の広告カテゴリ（例えば、車、旅行）に属する全ての広告コンテンツにおけるＣＴＲの平均値などが記憶される。また、「ＣＴＲ」には、ＣＴＲの予測モデル等から予測される予測ＣＴＲが記憶されてもよい。このような予測ＣＴＲは、例えば、広告コンテンツの種別や、広告コンテンツが表示されるウェブページの種別等によって予測される。
【００４３】
すなわち、図４では、広告主ＩＤ「Ｂ１０」によって識別される広告主が、入札価格「１００」を指定するとともに、広告コンテンツ「ＡＣ１０」を入稿した例を示している。また、図４では、広告コンテンツ「ＡＣ１０」のＣＴＲが「０．０２」である例を示している。
【００４４】
制御部３３は、例えば、ＣＰＵ（Central  Processing  Unit）やＭＰＵ（Micro  Processing  Unit）等によって、広告装置３０内部の記憶装置に記憶されている各種プログラムがＲＡＭを作業領域として実行されることにより実現される。また、制御部３３は、例えば、ＡＳＩＣ（Application  Specific  Integrated  Circuit）やＦＰＧＡ（Field  Programmable  Gate  Array）等の集積回路により実現される。
【００４５】
図３に示すように、制御部３３は、入稿受付部３４と、要求受付部３５と、抽出部３６と、配信部３７とを有し、以下に説明する情報処理の機能や作用を実現または実行する。なお、制御部３３の内部構成は、図３に示した構成に限られず、後述する情報処理を行う構成であれば他の構成であってもよい。また、制御部３３が有する各処理部の接続関係は、図３に示した接続関係に限られず、他の接続関係であってもよい。
【００４６】
入稿受付部３４は、広告主端末２０から広告コンテンツの入稿を受け付ける。具体的には、入稿受付部３４は、入札価格の指定とともに広告コンテンツの入稿を受け付ける。そして、入稿受付部３４は、入稿元の広告主に対応する広告主ＩＤに対応付けて、受け付けた入札価格及び広告コンテンツを広告コンテンツ記憶部３２に格納する。
【００４７】
要求受付部３５は、端末装置１０から広告コンテンツの取得要求を受け付ける。例えば、要求受付部３５は、広告コンテンツの取得要求として、ＨＴＴＰリクエストを受け付ける。
【００４８】
抽出部３６は、要求受付部３５によって広告コンテンツの取得要求が受け付けられた場合に、配信候補の広告コンテンツを広告コンテンツ記憶部３２から抽出する。例えば、抽出部３６は、広告コンテンツ記憶部３２に記憶されている広告コンテンツのうち、入札価格又はＣＴＲが高い広告コンテンツや、入札価格及びＣＴＲの双方が高い広告コンテンツを優先して抽出する。
【００４９】
配信部３７は、広告コンテンツ記憶部３２に記憶されている広告コンテンツを配信する。具体的には、配信部３７は、広告コンテンツの取得要求を送信した端末装置１０に対して、抽出部３６によって抽出された広告コンテンツを配信する。
【００５０】
〔４．配信装置の構成〕
次に、図５を用いて、実施形態に係る配信装置１００の構成について説明する。図５は、実施形態に係る配信装置１００の構成例を示す図である。図５に示すように、配信装置１００は、通信部１１０と、コンテンツ記憶部１２０と、制御部１３０とを有する。
【００５１】
通信部１１０は、例えば、ＮＩＣ等によって実現される。そして、通信部１１０は、ネットワーク４０と有線又は無線で接続され、端末装置１０や広告装置３０との間で情報の送受信を行う。
【００５２】
コンテンツ記憶部１２０は、例えば、ＲＡＭ、フラッシュメモリ等の半導体メモリ素子、または、ハードディスク、光ディスク等の記憶装置によって実現される。そして、コンテンツ記憶部１２０は、ウェブページに関する情報を記憶する。例えば、コンテンツ記憶部１２０は、ウェブページを形成するＨＴＭＬファイルや、ウェブページに表示される静止画像や動画像を記憶する。
【００５３】
ここで、図６に、実施形態に係るコンテンツ記憶部１２０の一例を示す。図６に示した例では、広告コンテンツ記憶部３２は、「ウェブページＩＤ」、「ウェブページ」、「コンテンツ」、「広告取得命令」、「制御情報」といった項目を有する。
【００５４】
「ウェブページＩＤ」は、ウェブページを識別するための識別情報を示す。「ウェブページ」は、端末装置１０へ配信されるウェブページを示す。図６では「ウェブページ」に「Ｗ１０」といった概念的な情報が格納される例を示したが、実際には、ＨＴＭＬファイルやＸＭＬファイル等、又は、これらの格納場所を示すファイルパス名などが格納される。
【００５５】
「コンテンツ」は、ウェブページに表示されるコンテンツを示す。図６では「コンテンツ」に「Ｃ１０」といった概念的な情報が格納される例を示したが、実際には、静止画像や動画像やテキストデータやＵＲＬ、又は、これらの格納場所を示すファイルパス名などが格納される。
【００５６】
「広告取得命令」は、ウェブページに、広告コンテンツを取得するための広告取得命令が含まれるか否かを示す。図６では「広告取得命令」に「有」が格納されたウェブページについては、広告取得命令が含まれることを示し、「−」が格納されたウェブページについては、広告取得命令が含まれないことを示す。
【００５７】
「制御情報」は、ウェブページに、コンテンツの表示態様を制御するための制御情報が含まれるか否かを示す。図６では「制御情報」に「有」が格納されたウェブページについては、制御情報が含まれることを示し、「−」が格納されたウェブページについては、制御情報が含まれないことを示す。図６に示す例において、ウェブページに表示されるコンテンツに対する変更操作を受け付けるウェブページについては、制御情報が含まれる。
【００５８】
ここで、制御情報は、ＪａｖａＳｃｒｉｐｔ（登録商標）やＣＳＳ等のスクリプト言語によりに記述される。この制御情報は、ウェブページに表示されるコンテンツの表示態様を制御する。ここで、実施形態に係る制御情報は、表示手順と変更手順とを含む。表示手順は、例えば、コンテンツにおいて等倍指定範囲に含まれる領域である等倍領域の縮尺が所定の倍率であり、コンテンツにおける等倍領域以外の領域の縮尺が所定の倍率と異なる倍率である変更コンテンツ全体を表示する処理手順である。また、変更手順は、例えば、表示手順により表示された変更コンテンツに対して変更操作が行われた場合、変更操作に応じて、コンテンツにおける等倍指定範囲の位置を移動させることにより、移動後の等倍指定範囲に含まれる新たな等倍領域の縮尺を所定の倍率に変更する処理手順である。なお、ウェブページに広告取得命令が含まれる場合、変更手順には、例えば、等倍領域にコンテンツ中の特定領域が含まれる場合、コンテンツに関連する広告コンテンツを表示させる処理手順が含まれる。
【００５９】
制御部１３０は、例えば、ＣＰＵやＭＰＵ等によって、配信装置１００内部の記憶装置に記憶されている各種プログラム（配信プログラムの一例に相当）がＲＡＭを作業領域として実行されることにより実現される。また、制御部１３０は、例えば、ＡＳＩＣやＦＰＧＡ等の集積回路により実現される。
【００６０】
図５に示すように、制御部１３０は、受付部１３１と、配信部１３２とを有し、以下に説明する情報処理の機能や作用を実現または実行する。なお、制御部１３０の内部構成は、図５に示した構成に限られず、後述する情報処理を行う構成であれば他の構成であってもよい。また、制御部１３０が有する各処理部の接続関係は、図５に示した接続関係に限られず、他の接続関係であってもよい。
【００６１】
受付部１３１は、端末装置１０からウェブページの取得要求を受け付ける。例えば、受付部１３１は、ウェブページの取得要求として、ＨＴＴＰリクエストを受け付ける。
【００６２】
配信部１３２は、受付部１３１によってウェブページの取得要求が受け付けられた場合に、ウェブページを端末装置１０に配信する。また、配信部１３２は、取得要求が受け付けられたウェブページにコンテンツが関連付けられている場合、当該コンテンツをウェブページとともに端末装置１０へ配信する。具体的には、配信部１３２は、コンテンツ記憶部１２０から取得要求対象のウェブページ及び関連付けられているコンテンツを取得し、取得したウェブページを端末装置１０に配信する。また、コンテンツ記憶部１２０に記憶されているウェブページに広告取得命令や制御情報が含まれる場合、配信部１３２は、ウェブページとともに広告取得命令や制御情報を配信することとなる。
【００６３】
なお、上述したコンテンツ記憶部１２０は、制御情報を含むウェブページではなく、ウェブページと制御情報とを個別に記憶してもよい。例えば、コンテンツ記憶部１２０は、ウェブページを形成するＨＴＭＬファイルと、制御情報が記述されたファイルとを対応付けて記憶してもよい。この場合、配信部１３２は、ウェブページ及び制御情報の双方を端末装置１０に配信する。
【００６４】
〔５．端末装置の構成〕
次に、図７を用いて、実施形態に係る端末装置１０の構成について説明する。図７は、実施形態に係る端末装置１０の構成例を示す図である。図７に示すように、端末装置１０は、通信部１１と、検知部１２と、出力部１３と、記憶部１４と、制御部１５とを有する。
【００６５】
（通信部１１）
通信部１１は、例えば、通信回路等によって実現される。そして、通信部１１は、ネットワーク４０と有線又は無線で接続され、広告装置３０や配信装置１００との間で情報の送受信を行う。
【００６６】
（検知部１２）
検知部１２は、タッチパネルの機能によりタブレット端末等の表示画面を介してユーザから各種操作を受け付ける。すなわち、検知部１２は、端末装置１０の出力部１３を介してユーザから各種操作を受け付ける。例えば、検知部１２は、端末装置１０の出力部１３を介してユーザの変更操作等の操作を受け付ける。言い換えると、検知部１２は、タッチパネルの機能によりユーザの操作を受け付ける入力部として機能する。なお、検知部１２によるユーザの操作の検知方式には、タブレット端末では主に静電容量方式が採用されるが、他の検知方式である抵抗膜方式、表面弾性波方式、赤外線方式、電磁誘導方式など、ユーザの操作を検知できタッチパネルの機能が実現できればどのような方式を採用してもよい。また、端末装置１０は、端末装置１０にボタンが設けられたり、キーボードやマウスが接続されていたりする場合、ボタン等による操作も受け付ける入力部を有してもよい。
【００６７】
（出力部１３）
出力部１３は、例えば液晶ディスプレイや有機ＥＬ（Electro-Luminescence）ディスプレイ等によって実現されるタブレット端末等の表示画面であり、各種情報を表示するための表示装置である。つまり、端末装置１０は、出力部１３である表示画面によりユーザの入力を受け付け、ユーザへの出力も行う。
【００６８】
（記憶部１４）
記憶部１４は、例えば、ＲＡＭ、フラッシュメモリ等の半導体メモリ素子、または、ハードディスク、光ディスク等の記憶装置によって実現される。そして、記憶部１４は、ウェブページに関する情報を記憶する。例えば、記憶部１４は、配信装置１００から受信した制御情報や広告装置３０から受信した広告コンテンツなどを記憶する。
【００６９】
（制御部１５）
制御部１５は、例えば、ＣＰＵやＭＰＵやＧＰＵ（Graphics  Processing  Unit）等によって、端末装置１０内部の記憶装置に記憶されている各種プログラム（表示プログラムの一例に相当）がＲＡＭを作業領域として実行されることにより実現される。例えば、この各種プログラムは、ウェブブラウザと呼ばれるアプリケーションプログラムに該当する。また、制御部１５は、例えば、ＡＳＩＣやＦＰＧＡ等の集積回路により実現される。
【００７０】
図７に示すように、制御部１５は、要求部１５１と、受付部１５２と、表示部１５３と、変更部１５４とを有し、以下に説明する情報処理の機能や作用を実現または実行する。なお、制御部１５の内部構成は、図７に示した構成に限られず、後述する情報処理を行う構成であれば他の構成であってもよい。また、制御部１５が有する各処理部の接続関係は、図７に示した接続関係に限られず、他の接続関係であってもよい。
【００７１】
要求部１５１は、検知部１２により検知されたユーザ操作に従って、配信装置１００にウェブページの取得要求を送信する。また、要求部１５１は、受付部１５２によって受け付けられたウェブページに広告取得命令が含まれる場合に、広告コンテンツの取得要求を広告装置３０に送信する。
【００７２】
受付部１５２は、ウェブページとコンテンツと広告コンテンツとを受け付ける。具体的には、受付部１５２は、要求部１５１によって送信されたウェブページの取得要求に応答した配信装置１００からウェブページやコンテンツを受け付ける。このとき、受付部１５２は、ウェブページに広告取得命令が含まれる場合には、広告コンテンツの取得要求を送信するよう要求部１５１に指示する。そして、受付部１５２は、要求部１５１によって送信された広告コンテンツの取得要求に応答した広告装置３０から広告コンテンツを受け付ける。
【００７３】
表示部１５３、及び変更部１５４は、受付部１５２によって受け付けられたウェブページに含まれる制御情報に従って、ウェブページとコンテンツを出力部１３に表示制御する。例えば、表示部１５３は、コンテンツにおいて等倍指定範囲に含まれる領域である等倍領域の縮尺が所定の倍率であり、コンテンツにおける等倍領域以外の領域の縮尺が所定の倍率と異なる倍率である変更コンテンツ全体を表示する。
【００７４】
図１に示す例において、表示部１５３は、ブラウザＢＲ１０上にウェブページＷ１０を表示し、ウェブページＷ１０中の表示領域ＷＲ１０にコンテンツＣ１０が変更された変更コンテンツＶＣ１１を表示する。具体的には、表示部１５３は、コンテンツＣ１０に対する縮尺が等倍である対応領域ＮＲ１０（ＣＲ１５）と、縮尺が等倍でない（例えば、１倍より小さい）８つの領域ＣＲ１１〜ＣＲ１４，ＣＲ１６〜ＣＲ１９とからなる変更コンテンツＶＣ１１全体をウェブページＷ１０の表示領域ＷＲ１０に表示する。図１（ｂ）に示す例において、コンテンツＣ１０の等倍領域Ｒ１５に対応する対応領域ＮＲ１０（ＣＲ１５）がウェブページＷ１０中の表示領域ＷＲ１０の中央に表示される。そして、コンテンツＣ１０の等倍領域Ｒ１５以外の８つの領域Ｒ１１〜Ｒ１４，Ｒ１６〜Ｒ１９にそれぞれ対応し、その縮尺が変更された領域ＣＲ１１〜ＣＲ１４，ＣＲ１６〜ＣＲ１９が表示領域ＷＲ１０に表示される。
【００７５】
例えば、変更コンテンツＶＣ１１の領域ＣＲ１１は、コンテンツＣ１０において横幅がＲＸ２１、縦幅がＲＹ２１の領域である領域Ｒ１１が、横幅ＲＸ１１、縦幅ＲＹ１１に縮尺が変更された領域である（図８（ａ）〜（ｂ）参照）。例えば、ＲＸ２１とＲＸ１１との比が２：１であり、ＲＹ２１とＲＹ１１との比が３：２である場合、領域ＣＲ１１は、領域Ｒ１１が横に１／２、縦に２／３の縮尺に変更（つまり、圧縮）された領域となる。このように、変更コンテンツＶＣ１１中の対応領域ＮＲ１０（ＣＲ１５）以外の８つの領域ＣＲ１１〜ＣＲ１４，ＣＲ１６〜ＣＲ１９は、対応するコンテンツＣ１０の各領域Ｒ１１〜Ｒ１４，Ｒ１６〜Ｒ１９の縮尺が変更された領域である。
【００７６】
また、例えば、表示部１５３、及び変更部１５４は、ＣＰＵやＭＰＵやＧＰＵ等によって、ウェブページに含まれる制御情報がＲＡＭを作業領域として実行されることにより実現される。すなわち、表示部１５３は、上述した表示手順により実現され、変更部１５４は、上述した変更手順により実現される。
【００７７】
変更部１５４は、表示部１５３により表示された変更コンテンツに対して変更操作が行われた場合、変更操作に応じて、コンテンツにおける等倍指定範囲の位置を移動させることにより、移動後の等倍指定範囲に含まれる新たな等倍領域の縮尺を所定の倍率に変更する変更処理を行う。以下、変更処理について図８を用いて説明する。以下では、説明のために、図８に示す例における移動前の等倍指定範囲を等倍指定範囲ＡＲ１とし、移動後の等倍指定範囲を等倍指定範囲ＡＲ２とする。なお、等倍指定範囲ＡＲ１と等倍指定範囲ＡＲ２とは位置のみが異なる同一物である。つまり、等倍指定範囲の大きさは変化せず、等倍指定範囲ＡＲ１の大きさと等倍指定範囲ＡＲ２の大きさは同じである。
【００７８】
図８は、変更処理の一例を示す図である。具体的には、図８は、図１（ａ）〜（ｃ）に示した表示処理における変更処理を示す図である。例えば、図８（ａ）は、図１（ｂ）に示す表示領域ＷＲ１０に表示された変更コンテンツＶＣ１１に対応する。また、図８（ｂ）は、図１（ａ）に示すコンテンツＣ１０に対応する。図８（ｄ）は、図１（ｃ）に示す表示領域ＷＲ１０に表示された変更コンテンツＶＣ１２に対応する。なお、以下では、図８の横方向をｘ方向とし、縦方向をｙ方向として説明する。また、図８のｘ方向及びｙ方向の単位は、ピクセルであってもよく、センチメートルなどの所定の長さを表す単位であってもよい。以下では、図８のｘ方向及びｙ方向の単位がピクセルである場合を例として説明する。
【００７９】
また、図８（ａ）〜（ｄ）の各図において、コンテンツＣ１０、変更コンテンツＶＣ１１、及び変更コンテンツＶＣ１２の左下端を原点（０，０）として以下説明する。例えば、図８（ａ）においては、変更コンテンツＶＣ１１の左下端（つまり、ＣＲ１７の左下端）が原点（０，０）となり、図８（ｂ）においては、コンテンツＣ１０の左下端（つまり、Ｒ１７の左下端）が原点（０，０）となる。また、図８（ｃ）においては、コンテンツＣ１０の左下端（つまり、Ｒ２７の左下端）が原点（０，０）となり、図８（ｄ）においては、変更コンテンツＶＣ１２の左下端（つまり、ＣＲ２７の左下端）が原点（０，０）となる。
【００８０】
図８（ａ）は、変更コンテンツＶＣ１１を示す。具体的には、図８（ａ）に示す変更コンテンツＶＣ１１は、図８（ｂ）に示すＲ１１〜Ｒ１９の９つの領域に分割されたコンテンツＣ１０を変更した変更コンテンツである。
【００８１】
ここで、図８（ａ）に示す変更コンテンツＶＣ１１は、ｘ方向に幅ＲＸ１１，ＲＸ１２，ＲＸ１３の３つの幅で分割され、ｙ方向に幅ＲＹ１１，ＲＹ１２，ＲＹ１３の３つの幅で分割された変更コンテンツである。したがって、変更コンテンツＶＣ１１において、例えば、図８（ａ）に示す例において、領域ＣＲ１１は、横が「ＲＸ１１」ピクセルで縦が「ＲＹ１１」ピクセルの領域であり、対応領域ＮＲ１０（ＣＲ１５）は、横が「ＲＸ１２」ピクセルで縦が「ＲＹ１２」ピクセルの領域である。また、領域ＣＲ１７は、横が「ＲＸ１１」ピクセルで縦が「ＲＹ１３」ピクセルの領域である。また、領域ＣＲ１７は、ｘ方向において（ＲＸ１１，０）〜（ＲＸ１１，ＲＹ１３）で領域ＣＲ１８と接する。つまり、領域ＣＲ１８は、ｘ方向において（ＲＸ１１＋１，０）〜（ＲＸ１１＋１，ＲＹ１３）で領域ＣＲ１７と接する。また、領域ＣＲ１７は、ｙ方向において（０，ＲＹ１３）〜（ＲＸ１１，ＲＹ１３）で領域ＣＲ１４と接する。つまり、領域ＣＲ１４は、ｙ方向において（０，ＲＹ１３＋１）〜（ＲＸ１１，ＲＹ１３＋１）で領域ＣＲ１７と接する。したがって、各領域の接する箇所が領域の境界となる。他の図８（ｂ）〜（ｄ）についても同様である。なお、図８（ａ）に示す例において、ｘ方向の幅ＲＸ１１とＲＸ１３とは等しく、ｙ方向の幅ＲＹ１１とＲＹ１３とは等しい。また、ｘ方向の幅ＲＸ１１，ＲＸ１３や、ｙ方向の幅ＲＹ１１やＲＹ１３は、変更コンテンツＶＣ１１の大きさと表示領域ＷＲ１０の大きさとは等しくなるような値になる。
【００８２】
ここで、図８（ａ）に示す変更コンテンツＶＣ１１における移動量（ｄｘ，ｄｙ）について説明する。図８（ａ）に示す（ｄｘ，ｄｙ）は、ユーザが表示領域ＷＲ１０を指定した指の位置（図１（ｃ）参照）がＰ１からＰ２へ移動した場合の変更コンテンツＶＣ１１における移動量（ｄｘ，ｄｙ）を示す。したがって、変更コンテンツＶＣ１１における移動量（ｄｘ，ｄｙ）は、Ｐ１の位置（ｘ１，ｙ１）とＰ２の位置（ｘ２，ｙ２）との差により得られる。例えば、Ｐ１の位置（ｘ１，ｙ１）が（１５０，２００）であり、Ｐ２の位置（１８０，１５０）である場合、Ｐ１からＰ２への移動は、ｘ方向へは「１８０−１５０＝３０」ピクセル、ｙ軸方向へは「１５０−２００＝−５０」ピクセルとなる。したがって、変更コンテンツＶＣ１１における移動量（ｄｘ，ｄｙ）は、（３０，−５０）となる。この移動量（ｄｘ，ｄｙ）に応じて、コンテンツＣ１０中の等倍指定範囲ＡＲ１の位置を移動させる。これにより、コンテンツＣ１０において移動後の等倍指定範囲ＡＲ２に含まれる領域が新たな等倍領域Ｒ２５となる。言い換えると、コンテンツＣ１０中の等倍指定範囲ＡＲ１，ＡＲ２の移動に伴い、コンテンツＣ１０の等倍領域Ｒ１５，Ｒ２５が移動する。このように、等倍指定範囲の移動に伴いコンテンツＣ１０中の等倍指定範囲に含まれるコンテンツＣ１０の範囲が変化する。これにより、コンテンツＣ１０の等倍領域Ｒ１５，Ｒ２５の位置が移動する。
【００８３】
図８（ｂ）は、９つの領域Ｒ１１〜Ｒ１９に分割されたコンテンツＣ１０を示す。図８（ｂ）に示すコンテンツＣ１０は、ｘ方向に幅ＲＸ２１、ＲＸ２２、ＲＸ２３の３つの幅で分割され、ｙ方向に幅ＲＹ２１、ＲＹ２２、ＲＹ２３の３つの幅で分割される。つまり、図８（ｂ）に示すコンテンツＣ１０において、例えば、領域Ｒ１２は、横が「ＲＸ２２」ピクセルで縦が「ＲＹ２１」ピクセルの領域であり、等倍領域Ｒ１５は、横が「ＲＸ２２」ピクセルで縦が「ＲＹ２２」ピクセルの領域である。
【００８４】
ここで、等倍領域Ｒ１５に対応するｘ方向の幅ＲＸ２２は、図８（ａ）に示すｘ方向の幅ＲＸ１２と等しく、ｙ方向の幅ＲＹ２２は、図８（ａ）に示すｙ方向の幅ＲＹ１２と等しい。また、ｘ方向の他の幅ＲＸ２１やＲＸ２３は、図８（ａ）に示すｘ方向の幅ＲＸ１１やＲＸ１３より大きく、ｙ方向の他の幅ＲＹ２１やＲＹ２３は、図８（ａ）に示すｙ方向の幅ＲＹ１１やＲＹ１３より大きい。したがって、図８（ａ）に示す変更コンテンツＶＣ１１において、等倍領域Ｒ１５の等倍の縮尺である領域ＣＲ１５が表示領域ＷＲ１０に表示される。そして、コンテンツＣ１０の領域Ｒ１１〜Ｒ１４，Ｒ１６〜Ｒ１９に対応し、その縮尺が変更された領域ＣＲ１１〜ＣＲ１４，ＣＲ１６〜ＣＲ１９が表示領域ＷＲ１０に表示される。例えば、領域ＣＲ１６は、領域Ｒ１６がｘ方向に縮小された領域となる。具体的には、領域ＣＲ１６は、領域Ｒ１６がｘ方向に幅ＲＸ２３から幅ＲＸ１３に圧縮された領域となる。つまり、領域ＣＲ１６は、領域Ｒ１６がｘ方向にＲＸ１３／ＲＸ２３倍に圧縮された領域となる。対応領域ＮＲ１０（ＣＲ１５）を除く他の領域についても同様である。
【００８５】
ここで、図８（ｂ）に示すコンテンツＣ１０における等倍指定範囲ＡＲ１の位置の変更について説明する。図８（ｂ）に示す（ｄｘ，ｄｙ）は、コンテンツＣ１０における所定のピクセルＰ３からＰ４への移動量（ｄｘ，ｄｙ）を示す。ここで、Ｐ３からＰ４への移動量（ｄｘ，ｄｙ）は、変更コンテンツＶＣ１１における移動量（ｄｘ，ｄｙ）と等しい。つまり、図８に示す例において、変更コンテンツＶＣ１１における移動量（ｄｘ，ｄｙ）をコンテンツＣ１０における移動量とする。したがって、コンテンツＣ１０における移動量（ｄｘ，ｄｙ）は、変更コンテンツＶＣ１１における移動量と同様に（３０，−５０）となる。このコンテンツＣ１０における移動量（３０，−５０）に応じて等倍指定範囲ＡＲ１の位置を移動させる。
【００８６】
本実施形態においては、ユーザが表示領域ＷＲ１０を指定した指の位置（図１（ｃ）参照）がＰ１からＰ２へ位置が移動した場合、その移動方向とは反対方向に等倍指定範囲ＡＲ１の位置を移動させる。図８（ｂ）に示す例において、Ｐ３からＰ４には、ｘ方向にプラスの方向、ｙ方向にはマイナスの方向に移動する。したがって、図８（ｂ）に示す例においては、等倍指定範囲ＡＲ１は、Ｐ３からＰ４への移動方向とは反対方向、すなわちｘ方向にマイナスの方向、ｙ方向にはプラスの方向に位置を移動する。すなわち、図８（ｂ）に示す例においては、等倍指定範囲ＡＲ１全体が（−ｄｘ，−ｄｙ）＝（−３０，５０）だけ移動する。そして、コンテンツＣ１０において移動後の等倍指定範囲ＡＲ２に含まれる領域Ｒ２５が変更コンテンツＶＣ１２における新たな等倍領域となる。
【００８７】
例えば、図８（ｂ）のコンテンツＣ１０における等倍指定範囲ＡＲ１に含まれる等倍領域Ｒ１５の左上端のピクセルの位置がＰ５であり、（−３０，５０）だけ移動した移動後の等倍指定範囲ＡＲ２に含まれる等倍領域Ｒ２５の左上端のピクセルの位置Ｐ６となる。具体的には、Ｐ５の位置が（２５０，４００）である場合、Ｐ６の位置は、（２５０−３０，４００＋５０）となり、（２２０，４５０）となる。このように、移動後の等倍指定範囲ＡＲ２に含まれる等倍領域Ｒ２５が得られる。
【００８８】
図８（ｃ）は、移動後の等倍指定範囲ＡＲ２に基づいて領域Ｒ２１〜Ｒ２９に分割されたコンテンツＣ１０を示す。図８（ｃ）に示すコンテンツＣ１０は、ｘ方向に幅ＲＸ３１、ＲＸ３２、ＲＸ３３の３つの幅で分割され、ｙ方向に幅ＲＹ３１、ＲＹ３２、ＲＹ３３の３つの幅で分割される。つまり、図８（ｃ）に示すコンテンツＣ１０において、例えば、領域Ｒ２２は、横が「ＲＸ３２」ピクセルで縦が「ＲＹ３１」ピクセルの領域であり、等倍領域Ｒ２５は、横が「ＲＸ３２」ピクセルで縦が「ＲＹ３２」ピクセルの領域である。
【００８９】
ここで、等倍領域Ｒ２５に対応するｘ方向の幅ＲＸ３２は、図８（ｂ）に示すｘ方向の幅ＲＸ２２と等しく、ｙ方向の幅ＲＹ３２は、図８（ｂ）に示すｙ方向の幅ＲＹ２２と等しい。また、ｘ方向の幅ＲＸ３１は、図８（ｂ）に示すｘ方向の幅ＲＸ２１より小さい。具体的には、幅ＲＸ３１は、「ＲＸ２１−ｄｘ」となる。同様に、ｘ方向の幅ＲＸ３３は、「ＲＸ２３＋ｄｘ」となる。また、ｙ方向の幅ＲＹ３１は、図８（ｂ）に示すｙ方向の幅ＲＹ２１より小さい。具体的には、幅ＲＹ３１は、「ＲＹ２１−ｄｙ」となる。同様に、ｙ方向の幅ＲＹ３３は、「ＲＹ２３＋ｄｙ」となる。このように、等倍領域の位置の変更に応じて、等倍領域Ｒ２５に対応するｘ方向の幅ＲＸ３２とｙ方向の幅ＲＹ３２以外は、図８（ｂ）において対応する幅から変動する。すなわち、図８（ｃ）に示す例において、コンテンツＣ１０における領域Ｒ２１〜Ｒ２９は、等倍指定範囲ＡＲ１，ＡＲ２の位置を移動に応じて、格子状の境界を（−３０，５０）だけ移動させた領域となる。
【００９０】
上述のように、図８（ｃ）に示すようにコンテンツＣ１０は、９つの領域Ｒ２１〜Ｒ２９に分割される。例えば、等倍領域Ｒ２５は、等倍領域Ｒ１５と同じ大きさの領域であって、等倍領域Ｒ１５とは位置の異なる領域となる。なお、図８（ｃ）に示す例においては、等倍領域Ｒ２５以外の他の８つの領域Ｒ２１〜Ｒ２４，Ｒ２６〜Ｒ２９は、領域Ｒ１１〜Ｒ１９とは異なる大きさの領域となる。このようにして、変更部１５４は、等倍指定範囲ＡＲ１，ＡＲ２の位置を移動に応じて、コンテンツＣ１０を分割する領域を変動させる。
【００９１】
そして、変更部１５４は、移動後の等倍指定範囲ＡＲ２に対応する新たな等倍領域Ｒ２５の縮尺を等倍とし、コンテンツＣ１０における新たな等倍領域Ｒ２５以外の領域Ｒ２１〜Ｒ２４，Ｒ２６〜Ｒ２９の倍率を変更コンテンツＶＣ１１の大きさに応じて変更する。これにより、変更部１５４は、領域Ｒ２１〜Ｒ２９の９つの領域に分割されたコンテンツＣ１０を変更した変更コンテンツＶＣ１２を生成する。言い換えると、変更部１５４は、変更コンテンツＶＣ１１を変更コンテンツＶＣ１２へ変更する。
【００９２】
図８（ｄ）は、変更コンテンツＶＣ１２を示す。具体的には、図８（ｄ）に示す変更コンテンツＶＣ１１は、図８（ｃ）に示すＲ２１〜Ｒ２９の９つの領域に分割されたコンテンツＣ１０を変更した変更コンテンツである。
【００９３】
ここで、図８（ｄ）に示す変更コンテンツＶＣ１２は、ｘ方向に幅ＲＸ４１、ＲＸ４２、ＲＸ４３の３つの幅で分割され、ｙ方向に幅ＲＹ４１、ＲＹ４２、ＲＹ４３の３つの幅で分割された変更コンテンツである。したがって、変更コンテンツＶＣ１２において、例えば、領域ＣＲ２１は、横が「ＲＸ４１」ピクセルで縦が「ＲＹ４１」ピクセルの領域であり、対応領域ＮＲ２０（ＣＲ２５）は、横が「ＲＸ４２」ピクセルで縦が「ＲＹ４２」ピクセルの領域である。なお、図８（ｄ）に示す例において、ｘ方向の幅ＲＸ４１はＲＸ４３よりも小さく、ｙ方向の幅ＲＹ４１はＲＹ４３より小さい。また、ｘ方向の幅ＲＸ４１，ＲＸ４３や、ｙ方向の幅ＲＹ４１やＲＹ４３は、変更コンテンツＶＣ２１の大きさと表示領域ＷＲ１０の大きさとは等しくなるような値になる。
【００９４】
図８（ｄ）に示す例では、変更部１５４は、表示領域ＷＲ１０にコンテンツＣ１０が変更された変更コンテンツＶＣ１２を表示する（図１（ｃ）参照）。具体的には、変更部１５４は、コンテンツＣ１０に対する縮尺が等倍である対応領域ＮＲ２０（ＣＲ２５）と、縮尺が等倍でない（例えば、１倍より小さい）８つの領域ＣＲ２１〜ＣＲ２４，ＣＲ２６〜ＣＲ２９とからなる変更コンテンツＶＣ１２全体を表示領域ＷＲ１０に表示する。図８（ｄ）に示す表示領域ＷＲ１０において、コンテンツＣ１０の等倍領域Ｒ２５に対応する対応領域ＮＲ２０（ＣＲ２５）が、図８（ａ）に示す対応領域ＮＲ１０（ＣＲ１５）の位置からｘ方向のマイナス、ｙ方向にプラスの位置に表示される。そして、コンテンツＣ１０の等倍領域Ｒ２５以外の８つの領域Ｒ２１〜Ｒ２４，Ｒ２６〜Ｒ２９にそれぞれ対応し、その縮尺が変更された領域ＣＲ２１〜ＣＲ２４，ＣＲ２６〜ＣＲ２９が表示領域ＷＲ１０に表示される。
【００９５】
例えば、図８（ｄ）に示す変更コンテンツＶＣ１２の領域ＣＲ２１は、図８（ｃ）に示すコンテンツＣ１０において横幅がＲＸ３１、縦幅がＲＹ３１の領域である領域Ｒ２１が、横幅ＲＸ４１、縦幅ＲＹ４１に縮尺が変更された領域である。例えば、ＲＸ３１とＲＸ４１との比が４：３であり、ＲＹ３１とＲＹ４１との比が５：２である場合、領域ＣＲ２１は、領域Ｒ２１が横に３／４、縦に２／５の縮尺に変更（つまり、圧縮）された領域となる。このように、変更コンテンツＶＣ１２中の対応領域ＮＲ２０（ＣＲ２５）以外の８つの領域ＣＲ２１〜ＣＲ２４，ＣＲ２６〜ＣＲ２９は、対応するコンテンツＣ１０の各領域Ｒ２１〜Ｒ２４，Ｒ２６〜Ｒ２９の縮尺が変更された領域である。
【００９６】
ここで、図８（ａ）に示す対応領域ＮＲ１０（ＣＲ１５）から図８（ｄ）に示す対応領域ＮＲ２０（ＣＲ２５）への移動量について説明する。例えば、図８（ｄ）に示す位置Ｐ８を変更コンテンツＶＣ１１における対応領域ＮＲ１０（ＣＲ１５）の左上端のピクセルの位置（図８（ａ）参照）とし、位置Ｐ９を変更コンテンツＶＣ１２における対応領域ＮＲ２０（ＣＲ２５）の左上端のピクセルの位置とした場合を一例として説明する。
【００９７】
まず、図８に示す例においては、等倍指定範囲ＡＲ１，ＡＲ２が（−ｄｘ，−ｄｙ）だけ移動する。これにより、コンテンツＣ１０中の等倍領域Ｒ１５，Ｒ２５は、（−ｄｘ，−ｄｙ）だけ移動する。そこで、変更部１５４は、コンテンツＣ１０の大きさと変更コンテンツＣＶ１１〜ＣＶ１３の大きさの比に基づいて、対応領域ＮＲ１０，ＮＲ２０の移動量を決定してもよい。
【００９８】
例えば、コンテンツＣ１０と変更コンテンツＣＶ１１〜ＣＶ１３との横幅の比が、２：１であり、縦幅の比が５：２である場合、位置Ｐ８から位置Ｐ９への移動量（つまり、対応領域の移動量）は、移動量（−ｄｘ２，−ｄｙ２）＝（（−ｄｘ）＊１／２，（−ｄｙ）＊２／５）となる。例えば、（−ｄｘ，−ｄｙ）＝（−３０，５０）である場合、対応領域の移動量（−ｄｘ２，−ｄｙ２）＝（（−３０）＊１／２，５０＊２／５）となり、（−１５，２０）となる。つまり、Ｐ８の位置が（２００，４００）である場合、Ｐ９の位置は、（２００−１５，４００＋２０）＝（１８５，４２０）となる。このように、ンテンツＣ１０の大きさと変更コンテンツＣＶ１１〜ＣＶ１３の大きさの比に基づいて、対応領域の移動量を決定することにより、変更コンテンツの表示態様の変更がより違和感が少なくなることが期待できる。
【００９９】
ここで、図８（ａ）に示す変更コンテンツＣＶ１１と図８（ｄ）に示す変更コンテンツＣＶ１２との関係について説明する。図８（ｄ）に示す例において、対応領域ＮＲ２０（ＣＲ２５）に対応するｘ方向の幅ＲＸ４２は、図８（ａ）に示すｘ方向の幅ＲＸ１２と等しく、ｙ方向の幅ＲＹ４２は、図８（ａ）に示すｙ方向の幅ＲＹ１２と等しい。また、ｘ方向の幅ＲＸ４１は、図８（ａ）に示すｘ方向の幅ＲＸ１１より小さく、ｘ方向の幅ＲＸ４３は、図８（ａ）に示すｘ方向の幅ＲＸ１３より大きい。また、ｙ方向の幅ＲＹ４１は、図８（ａ）に示すｙ方向の幅ＲＹ１１より小さく、ｙ方向のＲＹ４３は、図８（ａ）に示すｙ方向の幅ＲＹ１３より大きい。このように、対応領域ＮＲ１０，ＮＲ２０の位置の変更に応じて、対応領域ＮＲ２０（ＣＲ２５）に対応するｘ方向の幅ＲＸ４２とｙ方向の幅ＲＹ４２以外は、図８（ａ）において対応する幅から変動する。これにより、対応領域に移動に応じて、他の領域の縮尺が変更されることにより、変更コンテンツ全体が連動して表示態様を変化させることになるため、変更コンテンツの表示態様の変更がより違和感が少なくなることが期待できる。
【０１００】
なお、図８に示す例においては、変更コンテンツＶＣ１１における移動量をコンテンツＣ１０における移動量としているが、変更コンテンツＶＣ１１の大きさとコンテンツＣ１０の大きさとの比率に応じて変更してもよい。例えば、変更コンテンツＶＣ１１の大きさとコンテンツＣ１０の大きさとの比率が２：５（つまり、コンテンツＣ１０の大きさが変更コンテンツＶＣ１１の大きさの２．５倍）である場合、変更コンテンツＶＣ１１における移動量（ｄｘ，ｄｙ）が（４，６）であれば、コンテンツＣ１０における移動量（ｄｘ，ｄｙ）を（１０，１５）としてもよい。つまり、変更コンテンツＶＣ１１における移動量を２．５倍したものを、コンテンツＣ１０における移動量としてもよい。また、変更コンテンツＶＣ１１における移動量を変更コンテンツＶＣ１２における対応領域の移動量としてもよい。また、変更コンテンツＶＣ１１における移動量に所定の係数を乗算したものを変更コンテンツＶＣ１２における対応領域の移動量としてもよい。例えば、変更コンテンツＶＣ１１における移動量（ｄｘ，ｄｙ）が（４，６）であれば、変更コンテンツＶＣ１２における対応領域の移動量は、（４，６）に所定の係数である０．５を乗算した移動量（２，３）の反対方向への移動量（−２，−３）であってもよい。なお、等倍領域又は対応領域に対応する幅以外は、値が０になってもよい。例えば、図８（ｃ）に示す例において、等倍領域Ｒ２５が、コンテンツＣ１０の左下端（つまり、原点（０，０））まで移動した場合、幅ＲＸ３１や幅ＲＹ３３は値が０になってもよい。また、例えば、図８（ｄ）に示す例において、対応領域ＮＲ２０（ＣＲ２５）が、変形コンテンツＶＣ１１の左下端（つまり、原点（０，０））まで移動した場合、幅ＲＸ４１や幅ＲＹ４３は値が０になってもよい。また、図８においては、等倍指定範囲の移動を示すために等倍指定範囲ＡＲ１，ＡＲ２として説明したが、他の図においては等倍領域を含む範囲が、等倍指定範囲となる。例えば、図１（ａ）においては、等倍領域Ｒ１５を含む範囲が等倍指定範囲となる。
【０１０１】
また、変更部１５４は、例えば、等倍領域に対応する対応領域にコンテンツの特定領域が含まれる場合、コンテンツに関連する広告コンテンツを表示させる。例えば、変更部１５４は、図１（ｄ）に示すように、変更コンテンツＶＣ１３の対応領域ＮＲ３０中に特定領域ＳＡ１０が含まれた場合、コンテンツＣ１０に関連する広告コンテンツＡＣ１０を表示させる。
【０１０２】
また、表示部１５３や変更部１５４は、図１に示すような縦横にそれぞれ３分割されたコンテンツＣ１０に限らず、例えば、図９に示すような縦横にそれぞれ５分割されたコンテンツＣ１００などの様々なコンテンツに対しても上述した変更処理を含む表示処理を行うことができる。以下、この点について図９を用いて説明する。
【０１０３】
図９においては、例えば、コンテンツＣ１００が、横が１０２４ピクセルで縦が７６８ピクセルの画像であり、コンテンツＣ１００を表示する表示領域ＷＲ２０が、横が６４０ピクセルで縦が４８０ピクセルの表示領域であり、表示領域ＷＲ２０の大きさがコンテンツＣ１００の大きさよりも小さいとする。なお、以下では、図９の横方向をｘ方向とし、縦方向をｙ方向として説明する。また、図９のｘ方向及びｙ方向の単位は、ピクセルであってもよく、センチメートルなどの所定の長さを表す単位であってもよい。以下では、図９のｘ方向及びｙ方向の単位がピクセルである場合を例として説明する。
【０１０４】
まず、図９（ａ）は、コンテンツＣ１００を模式的に示す。図９（ａ）に示す例においては、コンテンツＣ１００の中央に位置する等倍指定範囲に含まれる領域である等倍領域Ｒ１１３５を中心とした２５の領域に分割される。具体的には、コンテンツＣ１００は、ｘ方向に幅ＲＸ５１、ＲＸ５２、ＲＸ５３、ＲＸ５４、ＲＸ５５の５つの幅で分割され、ｙ方向に幅ＲＹ５１、ＲＹ５２、ＲＹ５３、ＲＹ５４、ＲＹ５５の５つの幅で分割される。したがって、コンテンツＣ１００において、例えば、領域Ｒ１０１は、横がＲＸ５１ピクセルで縦がＲＹ５１ピクセルの領域であり、領域Ｒ１１３は、横がＲＸ５３ピクセルで縦がＲＹ５３ピクセルの領域である。また、領域ＣＲ１２１は、横がＲＸ５１ピクセルで縦がＲＹ５５ピクセルの領域である。また、領域Ｒ１２１は、ｘ方向において（ＲＸ５１，０）〜（ＲＸ５１，ＲＹ５５）で領域Ｒ１２２と接する。つまり、領域ＣＲ１２２は、ｘ方向において（ＲＸ５１＋１，０）〜（ＲＸ５１＋１，ＲＹ５５）で領域ＣＲ１２１と接する。また、領域ＣＲ１２１は、ｙ方向において（０，ＲＹ５５）〜（ＲＸ５１，ＲＹ５５）で領域ＣＲ１１６と接する。つまり、領域ＣＲ１１６は、ｙ方向において（０，ＲＹ５５＋１）〜（ＲＸ５１，ＲＹ５５＋１）で領域ＣＲ１２１と接する。
【０１０５】
このように図９に示す例においては、コンテンツＣ１００は、等しい面積で２５の領域Ｒ１０１〜Ｒ１２５に分割される。具体的には、コンテンツＣ１００は、図９（ａ）における横方向に５等分され、縦方向に５等分され、領域Ｒ１０１〜Ｒ１２５に分割される。すなわち、コンテンツＣ１００は、等倍領域Ｒ１１３を中心として格子状の境界により分割される。
【０１０６】
図９に示す例では、変更部１５４は、表示領域ＷＲ２０にコンテンツＣ１００が変更された変更コンテンツＶＣ１０を表示する。具体的には、変更部１５４は、コンテンツＣ１００に対する縮尺が等倍である対応領域ＮＲ１００（ＣＲ１１３）と、縮尺が等倍でない（例えば、１倍より小さい）２４つの領域ＣＲ１０１〜ＣＲ１１２，ＣＲ１１４〜ＣＲ１２５とからなる変更コンテンツＶＣ１０全体を表示領域ＷＲ２０に表示する。図９（ｂ）に示す表示領域ＷＲ２０において、コンテンツＣ１００の等倍領域Ｒ１１３に対応する対応領域ＮＲ１００（ＣＲ１１３）が表示領域ＷＲ２０の中央に表示される。そして、コンテンツＣ１００の等倍領域Ｒ１１３以外の２４つの領域Ｒ１０１〜Ｒ１１２，Ｒ１１４〜Ｒ１２５にそれぞれ対応し、その縮尺が変更された領域ＣＲ１０１〜ＣＲ１１２，ＣＲ１１４〜ＣＲ１２５が表示領域ＷＲ１０に表示される。
【０１０７】
例えば、図９（ｂ）に示す変更コンテンツＶＣ１０の領域ＣＲ１０１は、図９（ａ）に示すコンテンツＣ１００において横幅がＲＸ５１、縦幅がＲＹ５１の領域である領域Ｒ１０１が、横幅ＲＸ６１、縦幅ＲＹ６１に縮尺が変更された領域である。例えば、ＲＸ５１とＲＸ６１との比が３：２であり、ＲＹ５１とＲＹ６１との比が２：１である場合、領域ＣＲ１０１は、領域Ｒ１０１が横に２／３、縦に１／２の縮尺に変更（つまり、圧縮）された領域となる。このように、変更コンテンツＶＣ１０中の対応領域ＮＲ１００（ＣＲ１１３）以外の２４つの領域ＣＲ１０１〜ＣＲ１１２，ＣＲ１１４〜ＣＲ１２５は、対応するコンテンツＣ１００の各領域Ｒ１０１〜Ｒ１１２，Ｒ１１４〜Ｒ１２５の縮尺が変更された領域である。
【０１０８】
ここで、対応領域ＮＲ１００（ＣＲ１１３）に対応するｘ方向の幅ＲＸ６３は、図９（ａ）に示すｘ方向の幅ＲＸ５３と等しく、ｙ方向の幅ＲＹ６３は、図９（ａ）に示すｙ方向の幅ＲＹ５３と等しい。また、ｘ方向の他の幅ＲＸ６１、ＲＸ６２、ＲＸ６４、ＲＸ６５は、図９（ａ）に示すｘ方向の幅ＲＸ５１、ＲＸ５２、ＲＸ５４、ＲＸ５５より小さく、ｙ方向の他の幅ＲＹ６１、ＲＹ６２、ＲＹ６４、ＲＹ６５は、図９（ａ）に示すｙ方向の幅ＲＹ５１、ＲＹ５２、ＲＹ５４、ＲＹ５５より小さい。したがって、図９（ｂ）に示す変更コンテンツＶＣ１０において、等倍領域Ｒ１１３の等倍の縮尺である領域ＣＲ１１３が表示領域ＷＲ２０に表示される。そして、コンテンツＣ１００の領域Ｒ１０１〜Ｒ１１２，Ｒ１１４〜Ｒ１２５に対応し、その縮尺が変更された領域ＣＲ１０１〜ＣＲ１１２，ＣＲ１１４〜ＣＲ１２５が表示領域ＷＲ２０に表示される。
【０１０９】
例えば、領域ＣＲ１１４は、領域Ｒ１１４がｘ方向に縮小された領域となる。具体的には、領域ＣＲ１１４は、領域Ｒ１１４がｘ方向に幅ＲＸ５４から幅ＲＸ６４に圧縮された領域となる。つまり、領域ＣＲ１１４は、領域Ｒ１１４がｘ方向にＲＸ６４／ＲＸ５４倍に圧縮された領域となる。また、領域ＣＲ１１５は、領域Ｒ１１５がｘ方向に縮小された領域となる。具体的には、領域ＣＲ１１５は、領域Ｒ１１５がｘ方向に幅ＲＸ５５から幅ＲＸ６５に圧縮された領域となる。つまり、領域ＣＲ１１５は、領域Ｒ１１５がｘ方向にＲＸ６５／ＲＸ５５倍に圧縮された領域となる。なお、幅ＲＸ６５は、幅ＲＸ６４よりも小さくてもよい。例えば、幅ＲＸ６５は、幅ＲＸ６４の１／２倍の値であってもよい。このように、変更部１５４は、ｘ方向に連続する領域の圧縮率を対応領域から離れるほど段階的に大きくしてもよい。これにより、変更コンテンツＶＣ１０において、対応領域ＮＲ１００（ＣＲ１１３）から離れるほど縮小率が大きくなるため、変更コンテンツの表示態様がより違和感が少なくなることが期待できる。なお、変更部１５４は、所定の方向に連続する領域をどのような比率で段階的に圧縮率を変更するかについては、既存の技術を用いてもよい。
【０１１０】
また、例えば、領域ＣＲ１１８は、領域Ｒ１１８がｙ方向に縮小された領域となる。具体的には、領域ＣＲ１１８は、領域Ｒ１１８がｙ方向に幅ＲＹ５４から幅ＲＹ６４に圧縮された領域となる。つまり、領域ＣＲ１１８は、領域Ｒ１１８がｙ方向にＲＹ６４／ＲＹ５４倍に圧縮された領域となる。また、領域ＣＲ１２３は、領域Ｒ１２３がｙ方向に縮小された領域となる。具体的には、領域ＣＲ１２３は、領域Ｒ１２３がｙ方向に幅ＲＹ５５から幅ＲＹ６５に圧縮された領域となる。つまり、領域ＣＲ１２３は、領域Ｒ１２３がｙ方向にＲＹ６５／ＲＹ５５倍に圧縮された領域となる。なお、幅ＲＹ６５は、幅ＲＹ６４よりも小さくてもよい。例えば、幅ＲＹ６５は、幅ＲＹ６４の２／３倍の値であってもよい。このように、変更部１５４は、ｙ方向に連続する領域の圧縮率を対応領域から離れるほど段階的に大きくしてもよい。これにより、変更コンテンツＶＣ１０において、対応領域ＮＲ１００（ＣＲ１１３）から離れるほど縮小率が大きくなるため、変更コンテンツの表示態様がより違和感が少なくなることが期待できる。
【０１１１】
そして、変更コンテンツＶＣ１０に対して変更操作が行われた場合、変更部１５４は、変更操作に応じて、上述した変更処理を行う。
【０１１２】
〔６．配信処理のフロー〕
次に、図１０を用いて、実施形態に係る配信システム１による配信処理の手順について説明する。図１０は、実施形態に係る配信システム１による配信処理手順を示すシーケンス図である。
【０１１３】
図１０に示すように、端末装置１０は、ユーザ操作に従って、ウェブページの取得要求を配信装置１００に送信する（ステップＳ１０１）。そして、配信装置１００は、ウェブページの取得要求に応じて、ウェブページとともにコンテンツを端末装置１０に配信する（ステップＳ１０２）。なお、配信装置１００によって配信されるウェブページには、広告装置３０のＵＲＬ等である広告取得命令が含まれる。
【０１１４】
続いて、端末装置１０は、ウェブページに含まれる広告取得命令に基づいて、広告コンテンツの取得要求を広告装置３０に送信する（ステップＳ１０３）。そして、広告装置３０は、広告コンテンツの取得要求に応じて、広告コンテンツを端末装置１０に配信する（ステップＳ１０４）。そして、端末装置１０は、ステップＳ１０２において受信したウェブページに含まれる制御情報に従って、ウェブページの表示領域にコンテンツを表示する表示処理を行う（ステップＳ１０５）。なお、端末装置１０は、ステップＳ１０５後、広告コンテンツを表示する際に、広告コンテンツの取得要求を広告装置３０に送信してもよい。例えば、端末装置１０は、ユーザによる変更操作により特定領域ＳＡ１０が対応領域に含まれた場合、広告コンテンツの取得要求を広告装置３０に送信してもよい。そして、端末装置１０は、広告装置３０から受信したコンテンツＣ１０に関連する広告コンテンツＡＣ１０を表示してもよい。
【０１１５】
〔７．表示処理のフロー〕
次に、図１１を用いて、図１０のステップＳ１０５に示した表示処理の手順について説明する。図１１は、実施形態に係る端末装置１０による表示処理手順を示すフローチャートである。
【０１１６】
図１１に示すように、端末装置１０は、配信装置１００から受信したウェブページを表示する（ステップＳ２０１）。続いて、端末装置１０は、ウェブページ中の表示領域に表示されるコンテンツの等倍領域以外の領域の縮尺を変更した変更コンテンツを生成する（ステップＳ２０２）。続いて、端末装置１０は、ウェブページ中の表示領域に変更コンテンツを表示する（ステップＳ２０３）。
【０１１７】
続いて、端末装置１０は、ウェブページ中の表示領域に表示された変更コンテンツの指定を検知したか否かを判定する（ステップＳ２０４）。そして、端末装置１０は、変更コンテンツの指定を検知した場合に（ステップＳ２０４；Ｙｅｓ）、変更コンテンツの指定位置が変更したか否かを判定する（ステップＳ２０５）。例えば、端末装置１０は、変更コンテンツをユーザが指定したままドラッグ操作などを行った場合、変更コンテンツの指定位置が変更されたと判定する。
【０１１８】
そして、端末装置１０は、変更コンテンツの指定位置が変更したと判定した場合（ステップＳ２０５；Ｙｅｓ）、指定位置の変更に応じてコンテンツ中の等倍領域の位置を変更する（ステップＳ２０６）。具体的には、コンテンツにおける等倍指定範囲の位置を移動させることにより、移動後の等倍指定範囲に含まれる領域を新たな等倍領域とすることにより、等倍領域の位置を変更する。そして、端末装置１０は、等倍領域の位置の変更に応じて、変更コンテンツの表示態様を変更する。また、端末装置１０は、特定領域がコンテンツの等倍領域、すなわち変更コンテンツにおいてコンテンツの等倍領域に対応する領域（対応領域）に含まれた場合（ステップＳ２０７；Ｙｅｓ）、広告コンテンツを表示させる（ステップＳ２０８）。例えば、端末装置１０は、ウェブページ中の表示領域に広告コンテンツを表示させる。なお、端末装置１０は、特定領域が対応領域に含まれていない場合（ステップＳ２０７；Ｎｏ）、変更コンテンツの指定の解除を検知しない間（ステップＳ２０９；Ｎｏ）、ステップＳ２０５〜Ｓ２０８の処理を繰り返す。
【０１１９】
なお、端末装置１０は、変更コンテンツの指定の解除を検知した場合（ステップＳ２０９；Ｙｅｓ）、変更コンテンツの表示態様を変更する処理を終了する。具体的には、端末装置１０は、変更コンテンツがユーザにより変更操作が解除された場合、変更コンテンツの表示態様を変更させることを停止する。
【０１２０】
〔８．変形例〕
上述した実施形態に係る配信システム１は、上記実施形態以外にも種々の異なる形態にて実施されてよい。そこで、以下では、配信システム１の他の実施形態について説明する。なお、以下に説明する端末装置１０は、ウェブページに含まれる制御情報に従って、コンテンツの表示処理を行う。
【０１２１】
〔８−１．指定解除後の表示態様〕
上記実施形態において、端末装置１０は、変更コンテンツがユーザにより指定が解除された場合に、等倍指定範囲の位置を変更操作がされる前の位置に移動させ、変更コンテンツの表示態様をユーザによる変更操作が行われる前の態様に変化させてもよい。この点について、図１２を用いて説明する。図１２は、変形例に係る表示処理の一例を示す図である。なお、図１２中に示す符号、例えば、コンテンツＣ１０や表示領域ＷＲ１０等は、図１における同一符号のものに対応する。
【０１２２】
図１２（ａ）〜（ｂ）の変更操作は、図１（ａ）〜（ｂ）の変更操作に対応する。ここで、図１２（ｂ）に示すように、端末装置１０は、変更コンテンツＶＣ１１の表示態様が変更され変更コンテンツＶＣ１２が表示されている場合、ユーザによる変更コンテンツＶＣ１２への指定が解除された場合（図１１中のステップＳ２０９；Ｙｅｓに相当）、変更コンテンツＶＣ１２の表示態様をユーザによる変更操作が行われる前の態様に変化させる。具体的には、図１２（ｂ）に示すように、端末装置１０は、ユーザによる変更操作が行われ変更コンテンツＶＣ１２が表示された後、ユーザによる変更コンテンツＶＣ１２への指定が解除された場合、図１２（ｃ）に示すように表示領域ＷＲ１０に変更コンテンツＶＣ１１を表示する。言い換えると、端末装置１０は、変更コンテンツＶＣ１２から変更コンテンツＶＣ１１へ徐々に表示態様を変更する。これにより、ユーザは、変更操作を行った後に、変更操作を行う前の状態に戻す手間を省くことができるため、ユーザに対してより適切なコンテンツの表示となる。また、ユーザは変更操作をやめるだけで表示を元に戻すことができるので、ユーザが変更操作を行う心理的な負担が少なくなり、ユーザがより多く変更操作を行うことが期待できる。なお、ユーザによる変更コンテンツＶＣ１２への指定が解除された場合に限らず、例えば、ユーザが端末装置１０に表示された戻るボタンを指定することにより、等倍指定範囲の位置を変更操作がされる前の位置に移動させ、変更コンテンツの表示態様をユーザによる変更操作が行われる前の態様に変化させてもよい。
【０１２３】
〔８−２．コンテンツ、変更操作等〕
上述した実施形態に係る端末装置１０では、ウェブページ中の表示領域に表示するコンテンツを変形してコンテンツ全体を表示する例を示したが、全体を表示させるコンテンツとしては種々のコンテンツであってもよい。例えば、ウェブページ全体をブラウザの表示領域に合わせて全体が表示されるようにウェブページ自体を変更してもよい。この場合、スマートフォンなどの画面の小さい端末装置で、スマートフォン専用のウェブページ以外を閲覧する場合であっても、全体を表示し、かつ見たい部分は等倍等の所定の倍率で表示することが可能となる。また、上述した実施形態に係る端末装置１０では、変更コンテンツに対する変更操作として、スワイプ操作やドラッグ操作を行う例を示したが、変更操作としては種々の操作を受け付けてもよい。例えば、表示領域中のある点を指定し、その指定された点に対応領域の中心の位置を移動させてもよい。この場合、コンテンツ中の等倍領域の位置も表示領域において指定された点の位置に応じて移動させてもよい。これにより、ユーザは自身が見たい箇所を即時に等倍などの所定の倍率で見ることが可能となる。また、ピンチアウトやピンチインの操作を等倍領域や対応領域の大きさの変更として受け付けてもよい。この場合、ユーザは自身が注視したい領域の大きさを指定することが可能となる。また、例えば、ユーザが端末装置１０に表示された切替えボタンを指定することにより、表示処理によりコンテンツを変更した変更コンテンツと、コンテンツ全体を単純に縮小したコンテンツとを切り替え表示させてもよい。
【０１２４】
また、端末装置１０は、端末装置１０の傾きと連動して変更コンテンツ中の対応領域の位置を移動させてもよい。具体的には、端末装置１０は、端末装置１０の傾きの変化を変更コンテンツに対する変更操作として受け付けてもよい。例えば、端末装置１０は、ユーザが端末装置１０を傾けた際に、端末装置１０に表示された変更コンテンツにおいて下側（重力が働く方向）に行くほど縮尺を小さい倍率にしてもよい。言い換えると、端末装置１０は、ユーザが端末装置１０を傾けた際に、端末装置１０に表示された変更コンテンツにおいて上側（重力と反対方向）に対応領域（等倍領域）を移動させてもよい。これにより、端末装置１０に表示された変更コンテンツの表示態様が、変更コンテンツが重力の影響を受けたかのように変化するため、ユーザのメンタルモデルに合致した変更コンテンツの表示態様の変化となることが期待できる。また、ユーザは、端末装置１０の傾きを変えるだけで注視したい領域を探すことが可能となるため、ユーザビリティの向上も期待できる。例えば、ユーザは、端末装置１０がスマートフォンである場合、端末装置１０を持った手を所望の方向に傾けるだけで変更コンテンツの表示態様を変化させ、注視したい領域を探すことが可能となる。また、この場合、端末装置１０は、検知部１２として、例えば、ジャイロセンサ（ジャイロスコープや角速度センサ等と呼ばれる場合もある）を有してもよい。そして、端末装置１０は、検知部１２によって、端末装置１０における物理的な動きの変化を検知する。つまり、端末装置１０は、端末装置１０における物理的な動きの変化を変更操作として受け付ける。また、例えば、端末装置１０は、ユーザが端末装置１０を傾けた際に、端末装置１０に表示された変更コンテンツにおいて上側（重力と反対方向）に行くほど縮尺を小さい倍率にしてもよい。言い換えると、端末装置１０は、ユーザが端末装置１０を傾けた際に、端末装置１０に表示された変更コンテンツにおいて下側（重力が働く方向）に対応領域（等倍領域）を移動させてもよい。このように、端末装置１０に表示された変更コンテンツの表示態様が、端末装置１０の傾きに応じて変化することにより、ユーザにとってよりゲーム性の高いコンテンツの表示となるため、ユーザがコンテンツへ関心を持ち、より長い時間コンテンツを注視することも期待できる。
【０１２５】
〔８−３．装置構成〕
また、上記実施形態では、配信システム１に、配信装置１００と広告装置３０とが含まれる例を示したが、配信装置１００と広告装置３０とは１個の装置として形成されてもよい。この場合、図３に示した配信装置１００は、例えば、コンテンツ記憶部１２０とは別に、広告コンテンツ記憶部を有する。そして、配信装置１００は、端末装置１０からウェブページの取得要求を受け付けた場合に、広告コンテンツ記憶部にある広告コンテンツとともに、広告取得命令を含まないウェブページを端末装置１０に配信する。
【０１２６】
また、上記実施形態では、広告装置３０から端末装置１０に広告コンテンツが配信される例を示したが、配信装置１００が、広告装置３０から広告コンテンツを取得してもよい。この場合、広告装置３０は、配信装置１００から広告コンテンツの取得要求を受け付ける。また、広告装置３０は、配信装置１００に広告コンテンツを配信する。また、配信装置１００の配信部１３２は、広告装置３０から取得した広告コンテンツとともに、広告取得命令を含まないウェブページを端末装置１０に配信する。
【０１２７】
〔８−４．その他〕
また、上記各実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１２８】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。また、上述してきた各実施形態は、処理内容を矛盾させない範囲で適宜組み合わせることが可能である。
【０１２９】
〔８−５．ハードウェア構成〕
上述してきた実施形態に係る端末装置１０、広告装置３０及び配信装置１００は、例えば図１３に示すような構成のコンピュータ１０００によって実現される。以下、配信装置１００を例に挙げて説明する。図１３は、配信装置１００の機能を実現するコンピュータ１０００の一例を示すハードウェア構成図である。コンピュータ１０００は、ＣＰＵ１１００、ＲＡＭ１２００、ＲＯＭ１３００、ＨＤＤ１４００、通信インターフェイス（Ｉ／Ｆ）１５００、入出力インターフェイス（Ｉ／Ｆ）１６００、及びメディアインターフェイス（Ｉ／Ｆ）１７００を有する。
【０１３０】
ＣＰＵ１１００は、ＲＯＭ１３００又はＨＤＤ１４００に格納されたプログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を格納する。
【０１３１】
ＨＤＤ１４００は、ＣＰＵ１１００によって実行されるプログラム、及び、かかるプログラムによって使用されるデータ等を格納する。通信インターフェイス１５００は、ネットワーク４０を介して他の機器からデータを受信してＣＰＵ１１００へ送り、ＣＰＵ１１００が生成したデータをネットワーク４０を介して他の機器へ送信する。
【０１３２】
ＣＰＵ１１００は、入出力インターフェイス１６００を介して、ディスプレイやプリンタ等の出力装置、及び、キーボードやマウス等の入力装置を制御する。ＣＰＵ１１００は、入出力インターフェイス１６００を介して、入力装置からデータを取得する。また、ＣＰＵ１１００は、生成したデータを入出力インターフェイス１６００を介して出力装置へ出力する。
【０１３３】
メディアインターフェイス１７００は、記録媒体１８００に格納されたプログラム又はデータを読み取り、ＲＡＭ１２００を介してＣＰＵ１１００に提供する。ＣＰＵ１１００は、かかるプログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１３４】
例えば、コンピュータ１０００が実施形態に係る配信装置１００として機能する場合、コンピュータ１０００のＣＰＵ１１００は、ＲＡＭ１２００上にロードされたプログラムを実行することにより、制御部１３０の機能を実現する。コンピュータ１０００のＣＰＵ１１００は、これらのプログラムを記録媒体１８００から読み取って実行するが、他の例として、他の装置からネットワーク４０を介してこれらのプログラムを取得してもよい。
【０１３５】
なお、コンピュータ１０００が実施形態に係る端末装置１０として機能する場合、コンピュータ１０００のＣＰＵ１１００は、ＲＡＭ１２００上にロードされたプログラムを実行することにより、制御部１５の機能を実現する。
【０１３６】
〔９．効果〕
上述してきたように、実施形態に係る端末装置１０は、表示部１５３と、変更部１５４とを有する。表示部１５３は、コンテンツＣ１０において所定の範囲に含まれる領域である注視領域（実施形態においては等倍領域。以下同じ）の縮尺が所定の倍率（実施形態においては等倍。以下同じ）であり、コンテンツＣ１０における注視領域以外の領域の縮尺が所定の倍率と異なる倍率である変更コンテンツＶＣ１１全体を表示する。変更部１５４は、表示部１５３により表示された変更コンテンツＶＣ１１に対して変更操作が行われた場合、変更操作に応じて、コンテンツＣ１０における所定の範囲の位置を移動させることにより、移動後の所定の範囲に含まれる新たな注視領域（実施形態においては等倍領域Ｒ２５。以下同じ）の縮尺を所定の倍率に変更する。
【０１３７】
これにより、実施形態に係る端末装置１０は、コンテンツ全体の視認性を保ちつつユーザが所望の領域を注視できるコンテンツを表示することができる。例えば、端末装置１０は、コンテンツ全体の視認性を保ちつつ、ユーザが所望の領域を等倍にした態様でコンテンツを表示することができる。また、表示領域に表示された変更コンテンツの表示態様がユーザの変更操作により変化するので、ユーザにとってゲーム性の高いコンテンツの表示となる。そのため、ユーザが変更操作を行わせることにより、ユーザが変更操作を行っている間は、ユーザの注目をそのコンテンツに向けさせることができる。
【０１３８】
また、実施形態に係る端末装置１０において、変更部１５４は、変更操作が行われた場合、移動後の所定の範囲に対応する新たな注視領域の縮尺を所定の倍率とし、コンテンツＣ１０における新たな注視領域以外の領域の倍率を変更コンテンツＶＣ１１〜ＶＣ１３の大きさに応じて変更する。
【０１３９】
これにより、実施形態に係る端末装置１０は、ユーザが注視したい領域が変わった場合であっても、コンテンツ全体の視認性を保ちつつユーザが所望の領域を注視できるコンテンツを表示することができる。
【０１４０】
また、実施形態に係る端末装置１０において、変更部１５４は、コンテンツＣ１０における注視領域以外の領域の縮尺を所定の倍率よりも小さい倍率にすることにより変更コンテンツＶＣ１１〜ＶＣ１３全体を表示させる。
【０１４１】
これにより、実施形態に係る端末装置１０は、ユーザが注視したい領域が変わった場合であっても、コンテンツ全体の視認性を保ちつつユーザが所望の領域を注視できるコンテンツを表示することができる。具体的には、端末装置１０は、ユーザが注視したい注視領域を等倍で、他の領域を縮小して表示することにより、コンテンツ全体の視認性を保ちつつ、ユーザが所望の領域を等倍にした態様でコンテンツを表示することができる。
【０１４２】
また、実施形態に係る端末装置１０において、変更部１５４は、変更コンテンツＶＣ１１〜ＶＣ１３に対してユーザが指定する位置が検知されている場合、ユーザが指定する位置を変化させる操作を変更操作として所定の範囲の位置を移動させる。
【０１４３】
これにより、実施形態に係る端末装置１０を使用するユーザは、表示領域にコンテンツ全体の内容が表示されているため、ページ遷移やスクロール操作を行うことなく、ドラッグ操作やスワイプ操作などにより、自身が見たいコンテンツの領域を探すことができる。具体的には、端末装置１０を使用するユーザは、表示領域に表示された変更コンテンツの対応領域を変更操作により移動させることにより、自身が見たいコンテンツの領域を探すことができる。また、ユーザは直観的な変更操作が可能となる。
【０１４４】
また、実施形態に係る端末装置１０において、変更部１５４は、変更コンテンツＶＣ１１〜ＶＣ１３に対してユーザが指定する位置の変化の方向と反対方向に移動させる。
【０１４５】
これにより、実施形態に係る端末装置１０は、コンテンツの表示態様の変化がユーザがコンテンツを引っ張る動作を行った場合のような変化となるため、ユーザは直観的な変更操作が可能となる。また、表示領域に表示された変更コンテンツの表示態様がユーザの変更操作により引っ張ったような変化するので、ユーザにとってさらにゲーム性の高いコンテンツの表示となり、ユーザをコンテンツに注目させることができる。
【０１４６】
また、実施形態に係る端末装置１０において、変更部１５４は、所定の条件を満たした場合、所定の範囲の位置を変更操作がされる前の位置に移動させる。
【０１４７】
これにより、実施形態に係る端末装置１０は、ユーザが変更操作を行った後に、ユーザが変更操作を行う前の状態に戻す手間を省くことができるため、ユーザに対してより適切なコンテンツの表示となる。
【０１４８】
また、実施形態に係る端末装置１０において、変更部１５４は、変更操作がされなくなることを所定の条件とする。
【０１４９】
これにより、実施形態に係る端末装置１０は、ユーザが変更操作を行った後に、ユーザが変更操作を行う前の状態に戻す手間を省くことができるため、ユーザに対してより適切なコンテンツの表示となる。この場合、ユーザは変更操作をやめるだけで表示を元に戻すことができるので、ユーザが変更操作を行う心理的な負担が少なくなり、ユーザがより多く変更操作を行うことが期待できる。
【０１５０】
また、実施形態に係る端末装置１０において、変更部１５４、注視領域にコンテンツＣ１０中の特定領域ＳＡ１０が含まれる場合、コンテンツＣ１０に関連する関連コンテンツを表示させる。
【０１５１】
これにより、実施形態に係る端末装置１０は、ユーザが変更操作を行わせることにより、ユーザが変更操作を行っている間は、ユーザの注目をそのコンテンツに向けさせることができ、表示領域に表示された変更コンテンツに対して変更操作を行っているユーザは、そのコンテンツに対して関心のあるユーザである可能性が高いと推定できる。そのため、端末装置１０は、ユーザの変更操作によってコンテンツ中の特定領域が、対応領域に含まれたことをトリガーとしてコンテンツに関連する関連コンテンツを表示する。これにより、表示したコンテンツに関心があると推定されるユーザに対してコンテンツに関連する関連コンテンツを表示することができる。
【０１５２】
また、実施形態に係る端末装置１０において、変更部１５４、所定の範囲の位置が所定の大きさを超えて移動した場合、コンテンツＣ１０に関連する関連コンテンツを表示させる。
【０１５３】
これにより、実施形態に係る端末装置１０は、ユーザが変更操作を行わせることにより、ユーザが変更操作を行っている間は、ユーザの注目をそのコンテンツに向けさせることができ、表示領域に表示された変更コンテンツに対して変更操作を行っているユーザは、そのコンテンツに対して関心のあるユーザである可能性が高いと推定できる。そのため、端末装置１０は、ユーザの変更操作によって所定の範囲の位置が所定の大きさを超えて移動したことをトリガーとしてコンテンツに関連する関連コンテンツを表示する。これにより、表示したコンテンツに関心があると推定されるユーザに対してコンテンツに関連する関連コンテンツを表示することができる。
【０１５４】
また、実施形態に係る端末装置１０において、変更部１５４は、関連コンテンツとしてコンテンツＣ１０に関連する広告コンテンツＡＣ１０を表示させる。
【０１５５】
これにより、実施形態に係る端末装置１０は、ユーザが変更操作を行わせることにより、ユーザが変更操作を行っている間は、ユーザの注目をそのコンテンツに向けさせることができる。そして、表示領域に表示された変更コンテンツに対して変更操作を行っているユーザは、そのコンテンツに対して関心のあるユーザである可能性が高いと推定できる。そのため、端末装置１０は、ユーザの変更操作によってコンテンツ中の特定領域が対応領域に含まれたことや所定の範囲の位置が所定の大きさを超えて移動したことをトリガーとしてコンテンツに関連する広告コンテンツを表示する。これにより、表示したコンテンツに関心があると推定されるユーザに対してコンテンツに関連する広告コンテンツを表示することができるため、広告コンテンツの広告効果を向上させることができる。
【０１５６】
また、実施形態に係る端末装置１０において、表示部１５３は、コンテンツＣ１０が分割された複数の領域Ｒ１１〜Ｒ１９のうち１つの領域Ｒ１５を所定の範囲に含まれる注視領域とする。
【０１５７】
これにより、実施形態に係る端末装置１０は、コンテンツ全体の視認性を保ちつつユーザが所望の領域を注視できるコンテンツを表示することができる。例えば、端末装置１０は、コンテンツ全体の視認性を保ちつつ、ユーザが所望の領域を等倍にした態様でコンテンツを表示することができる。
【０１５８】
また、実施形態に係る端末装置１０において、表示部１５３は、コンテンツＣ１０が等しい大きさに分割された複数の領域Ｒ１１〜Ｒ１９のうち１つの領域Ｒ１５を所定の範囲に含まれる注視領域とする。
【０１５９】
これにより、実施形態に係る端末装置１０は、コンテンツ全体の視認性を保ちつつユーザが所望の領域を注視できるコンテンツを表示することができる。例えば、端末装置１０は、コンテンツ全体の視認性を保ちつつ、ユーザが所望の領域を等倍にした態様でコンテンツを表示することができる。
【０１６０】
また、実施形態に係る配信装置１００は、配信部１３２を有する。配信部１３２は、端末装置１０に表示されるコンテンツＣ１０を制御する制御情報を端末装置１０に配信する。また、実施形態に係る制御情報は、コンテンツＣ１０において所定の範囲に含まれる領域である注視領域の縮尺が所定の倍率であり、コンテンツＣ１０における注視領域以外の領域の縮尺が所定の倍率と異なる倍率である変更コンテンツＶＣ１１〜ＶＣ１３全体を表示する表示手順と、表示手順により表示された変更コンテンツＶＣ１１〜ＶＣ１３に対して変更操作が行われた場合、変更操作に応じて、コンテンツＣ１０における所定の範囲の位置を移動させることにより、移動後の所定の範囲に含まれる新たな注視領域の縮尺を所定の倍率に変更する変更手順とを端末装置１０に実行させる。
【０１６１】
これにより、実施形態に係る配信装置１００は、コンテンツ全体の視認性を保ちつつ、ユーザが所望の領域を等倍にした態様でコンテンツを表示することができる。また、表示領域に表示された変更コンテンツの表示態様がユーザの変更操作により変化するので、ユーザにとってゲーム性の高いコンテンツの表示となる。そのため、ユーザが変更操作を行わせることにより、ユーザが変更操作を行っている間は、ユーザの注目をそのコンテンツに向けさせることができる。
【０１６２】
以上、本願の実施形態のいくつかを図面に基づいて詳細に説明したが、これらは例示であり、発明の開示の行に記載の態様を始めとして、当業者の知識に基づいて種々の変形、改良を施した他の形態で本発明を実施することが可能である。
【０１６３】
また、上述してきた「部（section、module、unit）」は、「手段」や「回路」などに読み替えることができる。例えば、検知部は、検知手段や検知回路に読み替えることができる。
【符号の説明】
【０１６４】
１  配信システム
１０  端末装置
１２  検知部
１３  出力部
１４  記憶部
１５  制御部
１５１  要求部
１５２  受付部
１５３  表示部
１５４  変更部
１００  配信装置
１２０  コンテンツ記憶部
１３０  制御部
１３１  受付部
１３２  配信部
【図１】
2016062439.tif 000003
【図２】
2016062439.tif 000004
【図３】
2016062439.tif 000005
【図４】
2016062439.tif 000006
【図５】
2016062439.tif 000007
【図６】
2016062439.tif 000008
【図７】
2016062439.tif 000009
【図８】
2016062439.tif 000010
【図９】
2016062439.tif 000011
【図１０】
2016062439.tif 000012
【図１１】
2016062439.tif 000013
【図１２】
2016062439.tif 000014
【図１３】
2016062439.tif 000015